(57)【要約】【課題】            食べこぼした物を受けるポケット部を取り替えでき、ポケット部をエプロン本体の上下方向の適位置に設置でき、ポケット部を前方に広げた状態に形成でき、しかもポケット部を前方に広げた状態に固定できるポケット付きエプロンを提供する。【解決手段】        ポケット部をエプロン本体１とは別体の袋体１０で構成し、この袋体１０が、上部を袋開口部１４とした袋部１１と、袋部吊下げ用延長シート部１５と、テーブル固定面係止用延長シート部２０を備え、袋部吊下げ用延長シート部１５の上部をエプロンシート部２の表面側に粘着部１６を介して剥離可能に貼着し、この貼着状態で裏返しにされた袋部１１をその袋開口部１４が前方に広げられたポケット部１９とし、このポケット部の開口部を広げ状態に固定できるように、テーブル固定面係止用延長シート部２０の先端部をテーブル固定面に粘着部２１を介して剥離可能に貼着できるようにした。【選択図】          図６
0003196344.tif 000002
【実用新案登録請求の範囲】
【請求項１】
少なくとも着用者の首下位置から胸部を含む上半身の適位置までの前面側を被う広さのエプロンシート部と、このエプロンシート部を着用者の前面側の所定の被い位置に装着できるようにした装着手段から成るエプロン本体と、このエプロン本体とは別体の袋体から成り、
前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部と、この袋部吊下げ用延長シート部の上部の内側面に設けた袋部吊下げ用粘着部と、この袋部吊下げ用粘着部の粘着面を剥離可能に被う被覆部を備え、前記袋部吊下げ用粘着部は、袋部の袋開口部が上方に向けられ且つこの袋開口部が前記袋部吊下げ用延長シート部より内側となる態様において、被覆部を剥離して露出された粘着面がエプロンシート部の表面側と対向するように設けてあり、
前記被覆部を剥離して露出された袋部吊下げ用粘着部の粘着面を介して、袋部の袋開口部が上方に向けられ且つこの袋開口部が袋部吊下げ用延長シート部より内側となるように袋部吊下げ用延長シート部の上部をエプロンシート部の表面側の上下方向の適位置に剥離可能に貼着し、この貼着状態において前記袋部の内外面を該袋部の袋開口部が袋部吊下げ用延長シート部より外側となるように裏返しにすることによって、裏返しにされた袋部はその袋開口部が袋部吊下げ用延長シート部より外側となり且つ上方に向けて開口されている袋開口部が前方に広げられたポケット部と成り、このポケット部で食べこぼした物を受けるようにした、ポケット付き簡易エプロン。
【請求項２】
少なくとも着用者の首下位置から胸部を含む上半身の適位置までの前面側を被う広さのエプロンシート部と、このエプロンシート部を着用者の前面側の所定の被い位置に装着できるようにした装着手段から成るエプロン本体と、このエプロン本体とは別体の袋体から成り、
前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部と、この袋部吊下げ用延長シート部の上部の内側面に設けた袋部吊下げ用粘着部と、この袋部吊下げ用粘着部の粘着面を剥離可能に被う被覆部を備え、更に、この袋体が、前記袋部の二つの袋構成シート面部の他方を袋開口部の開口縁より上方に向けて一体的に延長して形成したテーブル固定面係止用延長シート部と、このテーブル固定面係止用延長シート部の上部の内側面に設けたテーブル固定面係止用粘着部と、このテーブル固定面係止用粘着部の粘着面を剥離可能に被う被覆部を備え、この袋体における前記袋部吊下げ用延長シート部の袋部吊下げ用粘着部は、被覆部を剥離して露出された該袋部吊下げ用粘着部の粘着面が前記テーブル固定面係止用延長シート部の上端部より上方位置に設けた構成とすると共に、この袋部吊下げ用粘着部とこの袋部吊下げ用粘着部より下方位置に設けた前記テーブル固定面係止用粘着部は、被覆部を剥離して露出された互いの粘着面が上下方向に段差をおいて向き合うように互いに内側に向けられた構成としてあり、
前記被覆部を剥離して露出された袋部吊下げ用粘着部の粘着面を介して、袋部の袋開口部が上方に向けられ且つこの袋開口部及び前記テーブル固定面係止用延長シート部が袋部吊下げ用延長シート部より内側となるように袋部吊下げ用延長シート部の上部をエプロンシート部の表面側の上下方向の適位置に剥離可能に貼着し、この貼着状態において前記袋部及び前記テーブル固定面係止用延長シート部の内外面を該袋部の袋開口部及び前記テーブル固定面係止用延長シート部が袋部吊下げ用延長シート部より外側となるように裏返しにすることによって、裏返しにされた袋部はその袋開口部及び前記テーブル固定面係止用延長シート部が袋部吊下げ用延長シート部より外側となり且つ上方に向けて開口されている袋開口部が前方に広げられた食べこぼした物を受けるポケット部と成ると共に、裏返しにされたテーブル固定面係止用延長シート部はテーブル固定面係止用粘着部を設けた面が外側面と成り、被覆部が剥離され露出したテーブル固定面係止用粘着部の外側に向けられた粘着面を介して、テーブル固定面係止用延長シート部の先端部をテーブル固定面に剥離可能に貼着し、テーブル固定面に固定されたテーブル固定面係止用延長シート部によって、前記ポケット部の開口部を広げ状態に固定できるようにした、ポケット付き簡易エプロン。
【請求項３】
少なくとも着用者の首下位置から胸部を含む上半身の適位置までの前面側を被う広さのエプロンシート部と、このエプロンシート部を着用者の前面側の所定の被い位置に装着できるようにした装着手段から成るエプロン本体と、このエプロン本体とは別体の袋体から成り、
前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部と、この袋部吊下げ用延長シート部の上部の外側面に設けた袋部吊下げ用粘着部と、この袋部吊下げ用粘着部の粘着面を剥離可能に被う被覆部を備え、更に、この袋体が、前記袋部の二つの袋構成シート面部の他方を袋開口部の開口縁より上方に向けて一体的に延長して形成したテーブル固定面係止用延長シート部と、このテーブル固定面係止用延長シート部の上部の外側面に設けたテーブル固定面係止用粘着部と、このテーブル固定面係止用粘着部の粘着面を剥離可能に被う被覆部を備え、前記袋部吊下げ用粘着部と前記テーブル固定面係止用粘着部は、被覆部を剥離して露出された互いの粘着面が前後方向において互いに外側に向けられた反対向きの構成としてあり、
前記被覆部を剥離して露出された袋部吊下げ用粘着部の粘着面を介して、袋部の袋開口部が上方に向けられ且つこの袋開口部及び前記テーブル固定面係止用延長シート部が袋部吊下げ用延長シート部より外側となるように袋部吊下げ用延長シート部の上部をエプロンシート部の表面側の上下方向の適位置に剥離可能に貼着し、この貼着態様において袋開口部が上方に向けられ且つこの袋開口部が外側となっている袋部を食べこぼした物を受けるポケット部とし、このポケット部の前側に位置するテーブル固定面係止用延長シート部の先端部を、被覆部が剥離され露出したテーブル固定面係止用粘着部の外側に向けられた粘着面を介して、テーブル固定面に剥離可能に貼着し、テーブル固定面に固定されたテーブル固定面係止用延長シート部によって、前記ポケット部の開口部を前方に突出した広げ状態に固定できるようにした、ポケット付き簡易エプロン。
【請求項４】
少なくとも着用者の首下位置から胸部を含む上半身の適位置までの前面側を被う広さのエプロンシート部と、このエプロンシート部を着用者の前面側の所定の被い位置に装着できるようにした装着手段から成るエプロン本体と、このエプロン本体とは別体の袋体から成り、
前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部を備え、
前記袋部の袋開口部が上方に向けられ且つこの袋開口部が袋部吊下げ用延長シート部より内側となるように袋部吊下げ用延長シート部の上部をエプロンシート部の表面側の上下方向の適位置に接合し、この接合状態において前記袋部の内外面を該袋部の袋開口部が袋部吊下げ用延長シート部より外側となるように裏返しにすることによって、裏返しにされた袋部はその袋開口部が袋部吊下げ用延長シート部より外側となり且つ上方に向けて開口されている袋開口部が前方に広げられたポケット部と成り、このポケット部で食べこぼした物を受けるようにした、ポケット付き簡易エプロン。
【請求項５】
少なくとも着用者の首下位置から胸部を含む上半身の適位置までの前面側を被う広さのエプロンシート部と、このエプロンシート部を着用者の前面側の所定の被い位置に装着できるようにした装着手段から成るエプロン本体と、このエプロン本体とは別体の袋体から成り、
前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部を備え、更に、この袋体が、前記袋部の二つの袋構成シート面部の他方を袋開口部の開口縁より上方に向けて一体的に延長して形成したテーブル固定面係止用延長シート部と、このテーブル固定面係止用延長シート部の上部の内側面に設けたテーブル固定面係止用粘着部と、このテーブル固定面係止用粘着部の粘着面を剥離可能に被う被覆部を備え、この袋体における前記袋部吊下げ用延長シート部の上部は前記テーブル固定面係止用延長シート部の上端部より上方に延長させた構成とすると共に、この袋体における前記テーブル固定面係止用粘着部は、前記被覆部を剥離して露出されたテーブル固定面係止用粘着部の粘着面が前記袋部吊下げ用延長シート部の裏面側に向けられた構成としてあり、
前記袋部の袋開口部が上方に向けられ且つこの袋開口部及び前記テーブル固定面係止用延長シート部が袋部吊下げ用延長シート部より内側となるように前記テーブル固定面係止用延長シート部の上端部より上方に延長した構成としてある袋部吊下げ用延長シート部の上部をエプロンシート部の表面側の上下方向の適位置に接合し、この接合状態において前記袋部及び前記テーブル固定面係止用延長シート部の内外面を該袋部の袋開口部及び前記テーブル固定面係止用延長シート部が袋部吊下げ用延長シート部より外側となるように裏返しにすることによって、裏返しにされた袋部はその袋開口部及び前記テーブル固定面係止用延長シート部が袋部吊下げ用延長シート部より外側となり且つ上方に向けて開口されている袋開口部が前方に広げられた食べこぼした物を受けるポケット部と成ると共に、裏返しにされたテーブル固定面係止用延長シート部はテーブル固定面係止用粘着部を設けた面が外側面と成り、被覆部が剥離され露出したテーブル固定面係止用粘着部の外側に向けられた粘着面を介して、テーブル固定面係止用延長シート部の先端部をテーブル固定面に剥離可能に貼着し、テーブル固定面に固定されたテーブル固定面係止用延長シート部によって、前記ポケット部の開口部を広げ状態に固定できるようにした、ポケット付き簡易エプロン。
【請求項６】
少なくとも着用者の首下位置から胸部を含む上半身の適位置までの前面側を被う広さのエプロンシート部と、このエプロンシート部を着用者の前面側の所定の被い位置に装着できるようにした装着手段から成るエプロン本体と、このエプロン本体とは別体の袋体から成り、
前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部を備え、更に、この袋体が、前記袋部の二つの袋構成シート面部の他方を袋開口部の開口縁より上方に向けて一体的に延長して形成したテーブル固定面係止用延長シート部と、このテーブル固定面係止用延長シート部の上部の外側面に設けたテーブル固定面係止用粘着部と、このテーブル固定面係止用粘着部の粘着面を剥離可能に被う被覆部を備え、前記テーブル固定面係止用粘着部は、被覆部を剥離して露出された粘着面が外側に向けられた構成としてあり、
前記袋部の袋開口部が上方に向けられ且つこの袋開口部及び前記テーブル固定面係止用延長シート部が袋部吊下げ用延長シート部より外側となるように袋部吊下げ用延長シート部の上部をエプロンシート部の表面側の上下方向の適位置に接合し、この接合態様において袋開口部が上方に向けられ且つこの袋開口部が外側となっている袋部を食べこぼした物を受けるポケット部とし、このポケット部の前側に位置するテーブル固定面係止用延長シート部の先端部を、被覆部が剥離され露出したテーブル固定面係止用粘着部の外側に向けられた粘着面を介して、テーブル固定面に剥離可能に貼着し、テーブル固定面に固定されたテーブル固定面係止用延長シート部によって、前記ポケット部の開口部を前方に突出した広げ状態に固定できるようにした、ポケット付き簡易エプロン。
【請求項７】
前記袋体は、略矩形シートを、折り目を介して、一方のシート部を上下方向に長く、他方のシート部が上下方向に短くなるように互いの上端部が段違いとなるように折り返し、折り返した重ね合わせ部の両側部を折り目位置から途中位置まで封着し、封着した両側部と折り目からなる下部の三方が閉じられ、上部を袋開口部とした袋部を形成し、上下方向に長いシート部における袋開口部の開口縁から上端部までの上下範囲を袋部吊下げ用延長シート部とし、上下方向に短いシート部における袋開口部の開口縁から上端部までの上下範囲をテーブル固定面係止用延長シート部とした、請求項２、３、５、６のいずれかに記載のポケット付き簡易エプロン。
【請求項８】
前記袋部がエプロンシート部の表面側の下部からエプロンシート部の下端より突出した下方位置の上下範囲内のいずれかの位置に配置されるように前記袋部吊下げ用延長シート部の上部をエプロンシート部の表面側の略中間部より下方の適位置に接合した、請求項４、５、６のいずれかに記載のポケット付き簡易エプロン。
【請求項９】
前記前記袋部吊下げ用延長シート部の上下方向の長さは、前記袋部をエプロンシート部の下端より突出した下方位置に配置した態様において、この袋部吊下げ用延長シート部の上部がエプロンシート部の表面側の下部位置に貼着可能な比較的短いものから該袋部吊下げ用延長シート部の上部がエプロンシート部の表面側の上部位置に貼着可能な比較的長いものまでの長さ範囲から選択されたものとした請求項１、２、３のいずれかに記載のポケット付き簡易エプロン。
【考案の詳細な説明】
【技術分野】
【０００１】
本考案は、主に食事の介護を必要とする人に有用なエプロンに係り、エプロン本体に食べこぼした物を受けるポケットを設けた簡易エプロンに関する。
【背景技術】
【０００２】
食事の介護を必要とする人に有用なエプロンとして、エプロン本体の下部に食べこぼした物を受けるポケットを設けた使い捨てエプロン（例えば、特許文献１、２、３）が公開されている。
【０００３】
特許文献１（第３図）には、プラスチックシートのエプロン主体部の下端を表側に折り返し、折り返された重ね合わせ部の両側縁を接着して袋体を構成したエプロンが開示されている。
【０００４】
特許文献２には、下部に受け袋を形成した熱可塑性合成樹脂フィルムよりなる使い捨てエプロンが開示されている。この受け袋はフィルムをエプロンの形に打ち抜いた後二次加工としてシールしてもよいし、受け袋を形成するよう予めフィルムを二つ折りにして打ち抜きと同時にシールを施す方法によっても製造することができる、ことが開示されている。
【０００５】
特許文献３には、前垂れの下端を折返すか又は別布を上載せし、折返し部又は上載せ部の両側を中心部に寄せ、側縁を封着してゴミ受け袋を設けたゴミ受け袋付き使い捨てエプロンが開示されている。
【先行技術文献】
【特許文献】
【０００６】
【特許文献１】実開昭５５−１６８０２４号公報
【特許文献２】実開昭６１−１２９８１８号公報
【特許文献３】実開平２−１４０９０５号公報
【考案の概要】
【考案が解決しようとする課題】
【０００７】
（第１の課題）食べこぼした物や飲みこぼした液体を受けるポケット部は、その形成素材に高い防水性が要求されるが、着用者の前面を被うエプロン本体のエプロンシート部に求められるような肌触り感や着用感はそれほど要求されない。一方、着用者の前面を被うエプロンシート部は、ポケット部に求められるような高い防水性は要求されないが、肌触り感や着用感の良いシート素材が要求される。しかしながら、特許文献１〜３のようにエプロン本体（エプロンシート部）の下端を折返し、折返し重ね合わせ部の両側を封着してポケット部を形成したエプロンでは、ポケット部とエプロンシート部が同じシート素材で一体形成してあるため、ポケット部とエプロンシート部の目的や機能に適した別のシート材料を採択できず、このような要求に応えられない。また、特許文献３に開示されている別布を上乗せし、上載せ部の両側縁を封着してポケット部を形成したエプロンも、エプロンシート部の下部がポケット部の構成部分（ポケット部の裏側部分）となるため、一体形成のものと同様に両者の目的や機能に適したシート材料を採択できず、このような要求に完全には応えられない。本考案は、ポケット部とエプロンシート部の目的や機能に適したシート材料を採択可能なエプロンを提供することを課題（第１の課題）とする。
【０００８】
（第２の課題）また、食べこぼし物を受けるポケットを設けたエプロンを使用した場合、食べこぼした物や飲みこぼした液体を受けるポケット部は汚れ易いが、エプロン本体のエプロンシート部はポケット部ほど汚れないのが実情である。しかしながら、特許文献１〜３のように、エプロンシート部の下端を折返すか又は別布を上載せし、この折返し部又は上載せ部の両側部を封着してポケット部を形成したエプロンでは、ポケット部が汚れた場合、エプロン本体のエプロンシート部は汚れが目立たない場合でも、ポケット付きエプロンの全体を使い捨てにしており、不経済である。本考案は、食べこぼした物や飲みこぼした液体を受けて汚れたポケット部のみ新しいポケット部に取り替えでき、汚れが目立たないエプロンシート部を含むエプロン本体は何回か使用できるようにする、経済的なポケット付きエプロンを提供することを課題（第２の課題）とする。
【０００９】
（第３の課題）また、エプロン本体のエプロンシート部の丈長さによっては、ポケット部の形成位置を、エプロンシート部の表面側の下部位置とするほか、エプロンシート部の下端より下方に突出した位置や、エプロンシート部の表面側の上下方向の略中間位置にするほうが、ポケット部で食べこぼした物を効率的に受け取れることが分かった。また、エプロン本体のエプロンシート部の丈長さが一定の場合でも、着用者（子供や幼児を含む）の体の大きさや、着用者の好みに応じて、ポケット部の高さ位置を変えたい場合もある。しかしながら、特許文献１〜３のようにエプロンシートの下端を折返してポケット部を形成するタイプのエプロンでは、ポケット部の位置がエプロンシート部の下部に限定され、また、特許文献３のように、エプロンシートに別布を上載せし、この上載せ部の両側部と下部を封着してポケット部を形成したエプロンでは、ポケット部の形成位置がエプロンシート部のシート範囲内に限定されるため、このような課題に完全には応えられない。本考案は、着用者や食事介護者によって、エプロンシート部に対するポケット部の上下方向の設置位置を、例えば、エプロンシート部の表面側の略中間部位置からエプロンシート部の下端より突出した下方位置の上下範囲内の適位置に配置可能な、使用勝手の良いエプロンを提供することを課題（第３の課題）とする。
【００１０】
（第４の課題）また、特許文献１、２のようにエプロンシートの下端を折返し、折返し重ね合わせ部の両側を封着してポケット部を形成したエプロンでは、上方に向けて開口されているポケット部の開口部が広げられたものではないため、食べこぼした物を効果的に受けることができない。本考案は、上方に向けて開口されているポケット部の開口部が前方に広げられたものとし、また、このポケット部の開口部の広げ状態を保持できる、エプロンを提供することを課題（第４の課題）とする。
【課題を解決するための手段】
【００１１】
上記した課題（第１〜４の課題）を解決するため、本考案（請求項１、２、３の考案）は、食べこぼした物を受けるポケット部をエプロン本体とは別体の袋体で構成し、この袋体をユーザー（例えば、エプロン着用者や食事介護者）がエプロン本体に貼着してポケット付きエプロンとして使用できるようにしたポケット付き簡易エプロンを提供する。
【００１２】
以下の考案において、エプロン本体は、少なくとも着用者の首下位置から胸部を含む上半身の適位置までの前面側を被う広さのエプロンシート部と、このエプロンシート部を着用者の前面側の所定の被い位置に装着できるようにした装着手段から成るものとする。
【００１３】
本考案（請求項１の考案）は、前記エプロン本体と、このエプロン本体とは別体の袋体から成り、前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部と、この袋部吊下げ用延長シート部の上部の内側面に設けた袋部吊下げ用粘着部と、この袋部吊下げ用粘着部の粘着面を剥離可能に被う被覆部を備え、前記袋部吊下げ用粘着部は、袋部の袋開口部が上方に向けられ且つこの袋開口部が前記袋部吊下げ用延長シート部より内側となる態様において、被覆部を剥離して露出された粘着面がエプロンシート部の表面側と対向するように設けてあり、前記被覆部を剥離して露出された袋部吊下げ用粘着部の粘着面を介して、袋部の袋開口部が上方に向けられ且つこの袋開口部が袋部吊下げ用延長シート部より内側となるように袋部吊下げ用延長シート部の上部をエプロンシート部の表面側の上下方向の適位置に剥離可能に貼着し、この貼着状態において前記袋部の内外面を該袋部の袋開口部が袋部吊下げ用延長シート部より外側となるように裏返しにすることによって、裏返しにされた袋部はその袋開口部が袋部吊下げ用延長シート部より外側となり且つ上方に向けて開口されている袋開口部が前方に広げられたポケット部と成り、このポケット部で食べこぼした物を受けるようにした、ポケット付き簡易エプロンを提供する。
【００１４】
また、本考案（請求項２の考案）は、前記エプロン本体と、このエプロン本体とは別体の袋体から成り、前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部と、この袋部吊下げ用延長シート部の上部の内側面に設けた袋部吊下げ用粘着部と、この袋部吊下げ用粘着部の粘着面を剥離可能に被う被覆部を備え、更に、この袋体が、前記袋部の二つの袋構成シート面部の他方を袋開口部の開口縁より上方に向けて一体的に延長して形成したテーブル固定面係止用延長シート部と、このテーブル固定面係止用延長シート部の上部の内側面に設けたテーブル固定面係止用粘着部と、このテーブル固定面係止用粘着部の粘着面を剥離可能に被う被覆部を備え、この袋体における前記袋部吊下げ用延長シート部の袋部吊下げ用粘着部は、被覆部を剥離して露出された該袋部吊下げ用粘着部の粘着面が前記テーブル固定面係止用延長シート部の上端部より上方位置に設けた構成とすると共に、この袋部吊下げ用粘着部とこの袋部吊下げ用粘着部より下方位置に設けた前記テーブル固定面係止用粘着部は、被覆部を剥離して露出された互いの粘着面が上下方向に段差をおいて向き合うように互いに内側に向けられた構成としてあり、前記被覆部を剥離して露出された袋部吊下げ用粘着部の粘着面を介して、袋部の袋開口部が上方に向けられ且つこの袋開口部及び前記テーブル固定面係止用延長シート部が袋部吊下げ用延長シート部より内側となるように袋部吊下げ用延長シート部の上部をエプロンシート部の表面側の上下方向の適位置に剥離可能に貼着し、この貼着状態において前記袋部及び前記テーブル固定面係止用延長シート部の内外面を該袋部の袋開口部及び前記テーブル固定面係止用延長シート部が袋部吊下げ用延長シート部より外側となるように裏返しにすることによって、裏返しにされた袋部はその袋開口部及び前記テーブル固定面係止用延長シート部が袋部吊下げ用延長シート部より外側となり且つ上方に向けて開口されている袋開口部が前方に広げられた食べこぼした物を受けるポケット部と成ると共に、裏返しにされたテーブル固定面係止用延長シート部はテーブル固定面係止用粘着部を設けた面が外側面と成り、被覆部が剥離され露出したテーブル固定面係止用粘着部の外側に向けられた粘着面を介して、テーブル固定面係止用延長シート部の先端部をテーブル固定面に剥離可能に貼着し、テーブル固定面に固定されたテーブル固定面係止用延長シート部によって、前記ポケット部の開口部を広げ状態に固定できるようにした、ポケット付き簡易エプロンを提供する。
【００１５】
また、本考案（請求項３の考案）は、前記エプロン本体と、このエプロン本体とは別体の袋体から成り、前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部と、この袋部吊下げ用延長シート部の上部の外側面に設けた袋部吊下げ用粘着部と、この袋部吊下げ用粘着部の粘着面を剥離可能に被う被覆部を備え、更に、この袋体が、前記袋部の二つの袋構成シート面部の他方を袋開口部の開口縁より上方に向けて一体的に延長して形成したテーブル固定面係止用延長シート部と、このテーブル固定面係止用延長シート部の上部の外側面に設けたテーブル固定面係止用粘着部と、このテーブル固定面係止用粘着部の粘着面を剥離可能に被う被覆部を備え、前記袋部吊下げ用粘着部と前記テーブル固定面係止用粘着部は、被覆部を剥離して露出された互いの粘着面が前後方向において互いに外側に向けられた反対向きの構成としてあり、前記被覆部を剥離して露出された袋部吊下げ用粘着部の粘着面を介して、袋部の袋開口部が上方に向けられ且つこの袋開口部及び前記テーブル固定面係止用延長シート部が袋部吊下げ用延長シート部より外側となるように袋部吊下げ用延長シート部の上部をエプロンシート部の表面側の上下方向の適位置に剥離可能に貼着し、この貼着態様において袋開口部が上方に向けられ且つこの袋開口部が外側となっている袋部を食べこぼした物を受けるポケット部とし、このポケット部の前側に位置するテーブル固定面係止用延長シート部の先端部を、被覆部が剥離され露出したテーブル固定面係止用粘着部の外側に向けられた粘着面を介して、テーブル固定面に剥離可能に貼着し、テーブル固定面に固定されたテーブル固定面係止用延長シート部によって、前記ポケット部の開口部を前方に突出した広げ状態に固定できるようにした、ポケット付き簡易エプロンを提供する。
【００１６】
また、課題２を除く上記した課題（第１、３、４の課題）を解決するため、本考案（請求項４、５、６の考案）は、食べこぼした物を受けるポケット部をエプロン本体とは別体の袋体で構成し、この袋体をエプロン本体に接合（接着）した構造のポケット付き簡易エプロンを提供する。
【００１７】
以下の考案においても、エプロン本体は、少なくとも着用者の首下位置から胸部を含む上半身の適位置までの前面側を被う広さのエプロンシート部と、このエプロンシート部を着用者の前面側の所定の被い位置に装着できるようにした装着手段から成るものとする。
【００１８】
本考案（請求項４の考案）は、前記エプロン本体と、このエプロン本体とは別体の袋体から成り、前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部を備え、前記袋部の袋開口部が上方に向けられ且つこの袋開口部が袋部吊下げ用延長シート部より内側となるように袋部吊下げ用延長シート部の上部をエプロンシート部の表面側の上下方向の適位置に接合し、この接合状態において前記袋部の内外面を該袋部の袋開口部が袋部吊下げ用延長シート部より外側となるように裏返しにすることによって、裏返しにされた袋部はその袋開口部が袋部吊下げ用延長シート部より外側となり且つ上方に向けて開口されている袋開口部が前方に広げられたポケット部と成り、このポケット部で食べこぼした物を受けるようにした、ポケット付き簡易エプロンを提供する。
【００１９】
また、本考案（請求項５の考案）は、前記エプロン本体と、このエプロン本体とは別体の袋体から成り、前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部を備え、更に、この袋体が、前記袋部の二つの袋構成シート面部の他方を袋開口部の開口縁より上方に向けて一体的に延長して形成したテーブル固定面係止用延長シート部と、このテーブル固定面係止用延長シート部の上部の内側面に設けたテーブル固定面係止用粘着部と、このテーブル固定面係止用粘着部の粘着面を剥離可能に被う被覆部を備え、この袋体における前記袋部吊下げ用延長シート部の上部は前記テーブル固定面係止用延長シート部の上端部より上方に延長させた構成とすると共に、この袋体における前記テーブル固定面係止用粘着部は、前記被覆部を剥離して露出されたテーブル固定面係止用粘着部の粘着面が前記袋部吊下げ用延長シート部の裏面側に向けられた構成としてあり、前記袋部の袋開口部が上方に向けられ且つこの袋開口部及び前記テーブル固定面係止用延長シート部が袋部吊下げ用延長シート部より内側となるように前記テーブル固定面係止用延長シート部の上端部より上方に延長した構成としてある袋部吊下げ用延長シート部の上部をエプロンシート部の表面側の上下方向の適位置に接合し、この接合状態において前記袋部及び前記テーブル固定面係止用延長シート部の内外面を該袋部の袋開口部及び前記テーブル固定面係止用延長シート部が袋部吊下げ用延長シート部より外側となるように裏返しにすることによって、裏返しにされた袋部はその袋開口部及び前記テーブル固定面係止用延長シート部が袋部吊下げ用延長シート部より外側となり且つ上方に向けて開口されている袋開口部が前方に広げられた食べこぼした物を受けるポケット部と成ると共に、裏返しにされたテーブル固定面係止用延長シート部はテーブル固定面係止用粘着部を設けた面が外側面と成り、被覆部が剥離され露出したテーブル固定面係止用粘着部の外側に向けられた粘着面を介して、テーブル固定面係止用延長シート部の先端部をテーブル固定面に剥離可能に貼着し、テーブル固定面に固定されたテーブル固定面係止用延長シート部によって、前記ポケット部の開口部を広げ状態に固定できるようにした、ポケット付き簡易エプロンを提供する。
【００２０】
また、本考案（請求項６の考案）は、前記エプロン本体と、このエプロン本体とは別体の袋体から成り、前記袋体が、両側部と下部の三方を閉じられ、上部を袋開口部とした柔軟シート素材から成る袋部と、この袋部を構成する互いに重なり合う二つの袋構成シート面部の一方を袋開口部の開口縁より上方に向けて一体的に延長して形成した袋部吊下げ用延長シート部を備え、更に、この袋体が、前記袋部の二つの袋構成シート面部の他方を袋開口部の開口縁より上方に向けて一体的に延長して形成したテーブル固定面係止用延長シート部と、このテーブル固定面係止用延長シート部の上部の外側面に設けたテーブル固定面係止用粘着部と、このテーブル固定面係止用粘着部の粘着面を剥離可能に被う被覆部を備え、前記テーブル固定面係止用粘着部は、被覆部を剥離して露出された粘着面が外側に向けられた構成としてあり、前記袋部の袋開口部が上方に向けられ且つこの袋開口部及び前記テーブル固定面係止用延長シート部が袋部吊下げ用延長シート部より外側となるように袋部吊下げ用延長シート部の上部をエプロンシート部の表面側の上下方向の適位置に接合し、この接合態様において袋開口部が上方に向けられ且つこの袋開口部が外側となっている袋部を食べこぼした物を受けるポケット部とし、このポケット部の前側に位置するテーブル固定面係止用延長シート部の先端部を、被覆部が剥離され露出したテーブル固定面係止用粘着部の外側に向けられた粘着面を介して、テーブル固定面に剥離可能に貼着し、テーブル固定面に固定されたテーブル固定面係止用延長シート部によって、前記ポケット部の開口部を前方に突出した広げ状態に固定できるようにした、ポケット付き簡易エプロンを提供する。
【００２１】
本考案（請求項２、３、５、６のいずれかの考案）において、前記袋体は、エプロン本体のエプロンシート部の横幅と同等かやや短い横幅の略矩形シートを、折り目を介して、一方のシート部を上下方向に長く、他方のシート部が上下方向に短くなるように互いの上端部が段違いとなるように折り返し、折り返した重ね合わせ部の両側部を折り目位置から途中位置まで封着し、封着した両側部と折り目からなる下部の三方が閉じられ、上部を袋開口部とした袋部を形成し、上下方向に長いシート部における袋開口部の開口縁から上端部までの上下範囲を袋部吊下げ用延長シート部とし、上下方向に短いシート部における袋開口部の開口縁から上端部までの上下範囲をテーブル固定面係止用延長シート部としたものとすることができる。
【００２２】
本考案（請求項４、５、６のいずれかの考案）において、前記袋部がエプロンシート部の表面側の下部位置からエプロンシート部の下端より突出した下方位置の上下範囲内のいずれかの位置に配置されるように前記袋部吊下げ用延長シート部の上部をエプロンシート部の表面側の略中間部より下方の適位置に接合したものとすることができる。
【００２３】
本考案（請求項１、２、３のいずれかの考案）において、前記袋部吊下げ用延長シート部の上下方向の長さは、前記袋部をエプロンシート部の下端より突出した下方位置に配置した態様において、この袋部吊下げ用延長シート部の上部がエプロンシート部の表面側の下部位置に貼着可能な比較的短いものから該袋部吊下げ用延長シート部の上部がエプロンシート部の表面側の上部位置に貼着可能な比較的長いものまでの長さ範囲から選択されたものとすることができる。
【考案の効果】
【００２４】
本考案（請求項１、２、３の考案）によれば、前記した第１から第４の課題をことごとく解決できる。すなわち、ポケット部とエプロンシート部の目的や機能に適したシート材料が採択可能である（第１の課題）。また、食べこぼした物や飲みこぼした液体を受けて汚れたポケット部（袋体）のみ新しいポケット部（袋体）に取り替えできる。よって、汚れたポケット部（袋体）は頻繁に取り替え、汚れの目立たないエプロン本体は比較的長く使用することが可能であり、経済的なポケット付き簡易エプロンを提供できる（第２の課題）。第２の課題を解決したことによって、頻繁に取り替えるポケット部（袋体）をポリエチレン樹脂フィルムシート等の比較的材料コストの安いものにすれば、使い捨て頻度の少ないエプロン本体（エプロンシート部）は肌触り感や着用感が良好で印刷やエンボス加工などの装飾を施した高級感のあるシート材を用いても、ポケット付きエプロンとしての全体価格を抑えられる。また、着用者や食事介護者によって、エプロンシート部に対するポケット部の上下方向の設置位置を、例えば、エプロンシート部の表面側の略中間部位置からエプロンシート部の下端より突出した下方位置の上下範囲内の適位置に配置可能な、使用勝手の良いエプロンを提供できる（第３の課題）。また、ポケット部の開口部が前方に広げられたポケット付きエプロンを提供でき、食べこぼした物や飲みこぼした液体を効果的に受けることができる（第４の課題）。特に、本考案（請求項２、３の考案）によれば、ポケット部の上部開口を前方に広げた状態に固定できるため、食べこぼした物や飲みこぼした液体を更に効果的に受けることができる（第４の課題）。
【００２５】
また、本考案（請求項４、５、６の考案）によれば、課題２を除く前記した第１、第３、第４の課題を解決できる。すなわち、ポケット部とエプロンシート部の目的や機能に適したシート材料が採択可能である（第１の課題）。また、着用者や食事介護者によって、エプロンシート部に対するポケット部の上下方向の設置位置を、例えば、エプロンシート部の表面側の略中間部位置からエプロンシート部の下端より突出した下方位置の上下範囲内の適位置に配置可能な、使用勝手の良いエプロンを提供できる（第３の課題）。また、ポケット部の開口部が前方に広げられたポケット付きエプロンを提供でき、食べこぼした物や飲みこぼした液体を効果的に受けることができる（第４の課題）。特に、本考案（請求項５、６の考案）によれば、ポケット部の上部開口を前方に広げた状態に固定できるため、食べこぼした物や飲みこぼした液体を更に効果的に受けることができる（第４の課題）。
【図面の簡単な説明】
【００２６】
【図１】エプロン本体に別体の袋体を貼着した第１実施形態のエプロンを示した、（Ａ）は正面図、（Ｂ）は一部省略した拡大右側面図である。
【図２】エプロン本体に貼着する前の図１の袋体を示した、（Ａ）は正面図、（Ｂ）は拡大した右側面図である。
【図３】図１のエプロンの使用態様を示した、（Ａ）は正面図、（Ｂ）は一部省略した拡大右側面図である。
【図４】エプロン本体に別体の袋体を貼着した第２実施形態のエプロンを示した、（Ａ）は正面図、（Ｂ）は一部省略した拡大右側面図である。
【図５】エプロン本体に貼着する前の図４の袋体を示した、（Ａ）は正面図、（Ｂ）は拡大した右側面図である。
【図６】図４のエプロンの使用態様を示した、（Ａ）は正面図、（Ｂ）は一部省略した拡大右側面図である。
【図７】図４のエプロンの使用態様を示した一部省略した拡大右側面図である。
【図８】エプロン本体に別体の袋体を貼着した第３実施形態のエプロンを示した、（Ａ）は正面図、（Ｂ）は一部省略した拡大右側面図である。
【図９】エプロン本体に貼着する前の図８の袋体を示した、（Ａ）は正面図、（Ｂ）は拡大した右側面図である。
【図１０】図８のエプロンの使用態様を示した一部省略した拡大右側面図である。
【図１１】エプロン本体に別体の袋体を接合した実施形態のエプロンを示した、（Ａ）は正面図、（Ｂ）は一部省略した拡大右側面図である。
【図１２】図１１のエプロンの使用態様を示した、（Ａ）は正面図、（Ｂ）は一部省略した拡大右側面図である。
【図１３】エプロン本体に別体の袋体を接合した他の実施形態のエプロンを示した、（Ａ）は正面図、（Ｂ）は一部省略した拡大右側面図である。
【図１４】図１３のエプロンの使用態様を示した、（Ａ）は正面図、（Ｂ）は一部省略した拡大右側面図である。
【図１５】図１３のエプロンの使用態様を示した一部省略した拡大右側面図である。
【図１６】エプロン本体に別体の袋体を接合した他の実施形態のエプロンを示した、（Ａ）は正面図、（Ｂ）は一部省略した拡大右側面図である。
【図１７】図１６のエプロンの使用態様を示した一部省略した拡大右側面図である。
【考案を実施するための形態】
【００２７】
本考案において、エプロン本体１は、少なくとも着用者の首下位置から胸部を含む上半身の適位置までの前面側を被う広さのエプロンシート部２と、このエプロンシート部を着用者の前面側の所定の被い位置に装着できるようにした装着手段３（図示の実施形態では紐部）をもつものであれば良い。
【００２８】
図１、図４、図８、図１１、図１３、図１６の実施形態に示したエプロン本体１は、エプロンシートの両側から上部の首宛て部２ａの近くまで対の紐部３を形成するための切り込み４を入れ、対の紐部を装着手段３、紐部以外のエプロンシートをエプロンシート部２としてある。
【００２９】
その他、エプロン本体１としては、別体の二本の紐をエプロンシート部の裏面に縦方向に平行に添わした状態で、二本の紐の上部をエプロンシート部の裏面側の上部に固定的に取付けた構造のもの（別体紐取付け構造）、エプロンシート部の上部に着用者の頭部を通す貫通穴を形成し、この貫通穴より下方のエプロンシートをエプロンシート部とした構造のもの、エプロンシート部の上部に二股状の装着片を延設し、この装着片の先端部に互いの先端部を着脱可能に連結できる面ファスナーや両面テープ等の接合部材を設けた構造のもの、エプロンシート部の上部に二股状の装着片を延設し、この装着片の先端部の裏面に着用者の肩部に直接貼り付けできる粘着シートを設けた構造のもの、エプロンシート部の上部の裏面側に着用者の前側に直接貼り付けできる粘着シートを設けた構造のもの、などいろいろな構造のものを採用可能であり、本考案では特に限定しない。
【００３０】
エプロン本体１のエプロンシート部２の素材は、不織布、紙、布、ビニール等を採用でき、またこれらのシート素材の裏面に防水性を有するプラスチックをラミネートした積層素材も採用でき、エプロンシート部として好ましい素材が採択可能である。この実施例では、肌触りの良い不織布を採用している。
【００３１】
図１〜図３の実施形態、図４〜図７の実施形態、図８〜図１０の実施形態は、食べこぼした物を受けるポケット部をエプロン本体１とは別体の袋体１０で構成し、この袋体１０をユーザー（例えば、エプロン着用者や食事介護者）がエプロン本体１に貼着してポケット付きエプロンとして使用できるようにしたものである。
【００３２】
まず、図１〜図３の実施形態について説明する。図１はエプロン本体１に別体の袋体１０を貼着した状態を示している。図２はエプロン本体１に貼着する前の袋体１０を示している。図３は図１の袋体１０を裏返しにした使用態様を示している。
【００３３】
図２の袋体１０は、両側部と下部の三方を閉じられ、上部を袋開口部１４とした柔軟シート素材から成る扁平状の袋部１１と、この袋部１１を構成する互いに重なり合う二つの袋構成シート面部の一方を袋開口部の開口縁より上方に向けて一体的に延長して形成した袋部吊下げ用延長シート部１５と、この袋部吊下げ用延長シート部の上部の裏面（内側面）に設けた袋部吊下げ用粘着部１６と、この袋部吊下げ用粘着部の粘着面１６ａを剥離可能に被う被覆部１７を備えている。
【００３４】
図２の袋体１０は、具体的には、エプロン本体１のエプロンシート部２の横幅と同等かやや短い横幅の略矩形シートＳを、折り目１２を介して、一方のシート部Ｓ１を上下方向に長く、他方のシート部Ｓ２が上下方向に短くなるように互いの上端部が段違いとなるように折り返し、折り返した重ね合わせ部の両側部を折り目位置から途中位置まで封着１３し、封着１３した両側部と折り目１２からなる下部の三方が閉じられ、上部を袋開口部１４とした袋部１１を形成し、上下方向に長いシート部Ｓ１における袋開口部の開口縁から上端部までの上下範囲を袋部吊下げ用延長シート部１５とし、上下方向に短いシート部Ｓ２における袋開口部の開口縁から上端部までの上下範囲を延長シート部１８（この延長シート部は、後で述べるようにポケット部の開口部を更に前方に広く広げたものにできる働きを有する。）としてある。なお、折り返した重ね合わせ部の両側部を全長さにわたって封着し、図２に示した延長シート部１８を形成しない構造としても良いことは勿論である。図２の袋体１０のように、折り返した重ね合わせ部の両側部を封着１３して袋部１１を形成してあると、この袋部１１を後述するように裏返しにした際、裏返された封着部の働きによって、裏返された袋部の袋開口部を前方に効果的に広げる効果がある。
【００３５】
袋体１０の形成は、図２に示した折り返しによる他、上下方向に長い矩形シートに上下方向に短い矩形シートを重ね合わせ、重ね合わせ部の両側部と下部の三方を封着し、上部を開口して袋部１１を形成しても良い。
【００３６】
袋体１０の素材は、食べこぼした物や飲みこぼした液体を透過させないものが好ましく、ポリエチレン等のプラスチックフィルムシートや、不織布、紙、布、ビニール等のシート素材に防水性を有するプラスチックをラミネートした積層素材も採用できる。この実施例では、素材コストや加工性に鑑みポリエチレン等の熱可塑性の柔軟なプラスチックフィルムシートを用いている。袋体の素材がポリエチレン等の熱可塑性のプラスチックフィルムシートであれば、加熱溶着によって簡単且つ確実に封着部を封着（ヒートシール）できる。このプラスチックフィルムシートは、透明なものでも良いが、中身（食べこぼした物）が見えない不透明又は半透明のものが好ましい。
【００３７】
前記袋部吊下げ用粘着部１６は、袋部１１の袋開口部１４が上方に向けられ且つこの袋開口部１４が内側となる態様において、被覆部１７を剥離して露出された粘着面１６ａがエプロンシート部２の表面側２Ａと対向するように、被覆部１７を剥離して露出された粘着面１６ａを内側に向けて設けてある。
【００３８】
図２の実施例では、袋部吊下げ用延長シート部１５の上部の裏面（内側面）に設けた袋部吊下げ用粘着部１６と、この粘着部の粘着面１６ａを剥離可能に被う被覆部１７の構造として、袋部吊下げ用延長シート部１５の上部の裏面（内側面）に摘みしろ１５ａを残して粘着剤を全幅方向に延ばして塗布し、この粘着剤が塗布されたシート端部を粘着部（粘着剤塗布部）１６が内側となるように折り込み、折り込まれたシート端部の粘着面１６ａが折り込み先の該延長シート部１５の対応面（この対応面が被覆部１７として機能する）で剥離可能に被われる構造にし、この粘着面１６ａを露出させる際は、図２（Ｂ）に矢印で示したように、裏面（内側面）に粘着部１６を設けたシート端部を摘みしろ１５ａを摘まんで捲り、延長シート部１５の対応面（被覆部１７）から粘着面１６ａを剥離させる構造としてある。捲られたシート端部の粘着面１６ａは、図２（Ｂ）に一点鎖線で示したように、内側に向けられた構造となる。なお、粘着剤は延長シート部の巾方向に部分的に塗布したものでも良い。
【００３９】
なお、図示してないが、袋部吊下げ用延長シート部１５の上部の裏面（内側面）に設けた袋部吊下げ用粘着部１６と、この粘着部の粘着面１６ａを剥離可能に被う被覆部１７の構造として、袋部吊下げ用延長シート部の上端部に剥離しろ（被覆部１７として機能）を残して該延長シート部の上部の裏面（内側面）に粘着剤を全幅方向に延ばして塗布し、この粘着部（粘着剤塗布部）１６の粘着面１６ａを折り込んだ剥離しろ（被覆部１７として機能）で剥離可能に被う構造とすると共に、この剥離しろの端部を粘着部（粘着剤塗布部）１６より下方に突出させ、この突出部を摘みしろとして形成した構造とし、粘着面を露出させる際は、摘みしろを摘まんで剥離しろ（被覆部１７として機能）を捲り、この剥離しろ（被覆部１７として機能）を粘着面１６ａから剥がす構造としても良い。この場合も、粘着剤は延長シート部の巾方向に部分的に塗布したものでも良い。
【００４０】
また、図示してないが、袋部吊下げ用延長シート部１５の上部の裏面（内側面）に設けた袋部吊下げ用粘着部１６と、この粘着部の粘着面１６ａを剥離可能に被う被覆部１７の構造としては、袋部吊下げ用延長シート部１５の上部の裏面（内側面）に粘着剤を全幅方向に延ばして塗布、又は袋部吊下げ用延長シート部１５の上部の裏面（内側面）に粘着剤を該延長シート部の巾方向に部分的に塗布し、この粘着部（粘着剤塗布部）１６の粘着面１６ａを剥離テープ又は剥離紙（被覆部１７として機能）で剥離可能に被う構造とし、この粘着面１６ａを露出させる際は剥離テープ又は剥離紙（被覆部１７として機能）を粘着面１６ａから剥がす構造としても良い。
【００４１】
また、図示してないが、袋部吊下げ用延長シート部１５の上部の裏面（内側面）に設けた袋部吊下げ用粘着部１６と、この粘着部の粘着面１６ａを剥離可能に被う被覆部１７の構造としては、袋部吊下げ用延長シート部１５の上部の裏面（内側面）に両面粘着テープ（１６）の片面側を全幅方向に延ばして貼着し、他面側を粘着面（１６ａ）とし、この粘着面を剥離テープ（被覆部１７として機能）で剥離可能に被う構造とし、この粘着面（１６ａ）を露出させる際は剥離テープ（被覆部１７として機能）を粘着面（１６ａ）から剥がす構造としても良い。なお、この実施例においても両面粘着テープは延長シート部の巾方向に部分的に貼着したものでも良い。
【００４２】
袋部吊下げ用粘着部１６の接着力は、再剥離可能（貼り付け後にエプロンシート部２の表面側から袋部吊下げ用延長シート部１５を剥がすことが可能）なものとしてある。これによって汚れた袋体のみ新しい袋体に取り替え可能となる。
【００４３】
ポケット付きエプロンとして使用する際は、被覆部１７を剥離して露出された袋部吊下げ用粘着部１６の粘着面１６ａ（図２のＢに一点鎖線で示した）を介して、袋部１１の袋開口部１４が上方に向けられ且つこの袋開口部１４が袋部吊下げ用延長シート部１５より内側となるように袋部吊下げ用延長シート部１５の上部をエプロンシート部２の表面側２Ａ（エプロンシート部２の裏面側２Ｂは着用者の前面側に接する。）の上下方向の適位置に貼着し（図１参照）、この貼着状態において袋開口部１４が袋部吊下げ用延長シート部１５より内側となっている前記袋部１１の内外面を該袋部の袋開口部１４が袋部吊下げ用延長シート部１５より外側となるように裏返しにすることによって、裏返しにされた袋部１１はその袋開口部１４が袋部吊下げ用延長シート部１５より外側となり且つ上方に向けて開口されている袋開口部１４が前方に広げられたポケット部１９と成り（図３参照）、このポケット部１９で食べこぼした物を受けるようにした。
【００４４】
図示した実施例では、図２（Ｂ）に矢印で示したように、裏面（内側面）に粘着部１６を設けた袋部吊下げ用延長シート部１５のシート端部を捲って袋部吊下げ用延長シート部１５の対応面（被覆部１７）から粘着面１６ａを剥離させ、図２（Ｂ）に一点鎖線で示したように内側に向けられた粘着部１６の粘着面１６ａをエプロンシート部２の表面側２Ａに貼り付ける。図示した貼着手段は、剥離テープや剥離紙を粘着面から剥がして貼り付ける手段に比べ、剥がした剥離テープの処分が不要である。
【００４５】
図１では、袋部１１がエプロンシート部２の下端より突出した下方位置に配置されるように袋部吊下げ用延長シート部１５の上部をエプロンシート部２の表面側２Ａの下部位置に貼着してある。しかし、貼着位置は図示した位置に限定するものではなく、例えば、袋部１１がエプロンシート部２の表面側２Ａの下部位置に配置されるように袋部吊下げ用延長シート部１５の上部をエプロンシート部２の表面側２Ａの上下方向における略中間位置に貼着しても良い。このように、本発明によれば、エプロンシート部２の上下方向に対する袋部吊下げ用延長シート部１５の貼着位置をユーザーが調整可能なため、ポケット部１９を食べこぼした物を効率的に受け得る好ましい高さ位置に設置できる。これは、図示した袋体１０を丈長さの異なるエプロン本体１に貼着して用いる場合においても、袋体の袋部１１を好ましい高さ位置に設置可能であることを意味する。
【００４６】
本考案は、袋体１０の袋部吊下げ用延長シート部１５の上部をエプロンシート部２の表面側２Ａに貼着して用いるものであるため、エプロン本体１を着用する前はもちろんのこと、エプロン本体１を着用した後でも袋体１０をエプロンシート部２に容易に貼着できる。
【００４７】
本考案は、吊り下げられた袋部１１を図１の態様から図３のように裏返しにし、裏返しにされた袋部１１をその袋開口部１４が前方に広げられたポケット部１９とし、前方に広げられたポケット部１９で食べこぼした物を受けるようにしている。その際、図２の実施例のように延長シート部１８を形成したものであれば、図３から明らかなように、この延長シート部１８によってポケット部１９の開口部１４を更に前方に広く広げたものにできる。
【００４８】
前記したように、袋部吊下げ用粘着部１６の接着力は、再剥離可能（貼り付け後にエプロンシート部２の表面から袋部吊下げ用延長シート部１５を剥がすことが可能）なものとしてある。よって、汚れた袋体１０をエプロン本体１から取り外し、新しい袋体１０を使用中のエプロン本体１に貼り付けて使用することも可能である。
【００４９】
図示した実施形態において、袋部吊下げ用延長シート部１５の上下方向の長さは、袋部吊下げ用延長シート部１５の上部をエプロンシート部２の表面側の下部位置に粘着部１６を介して貼着した際、袋部１１の全体がエプロンシート部２の下端より少し下方に突出して位置されるように形成してある。しかし、袋部吊下げ用延長シート部１５の上下方向の長さは、図示した実施形態のものに限定されるものではなく、例えば、図示してないが、袋部吊下げ用延長シート部１５の上部をエプロンシート部２の表面側２Ａの上部位置に粘着部１６を介して貼着した際、袋部１１の全体がエプロンシート部２の下端より少し下方に位置するように長く形成することもできる。このように袋部吊下げ用延長シート部１５の上下方向の長さを長く形成してある場合は、袋部吊下げ用延長シート部１５がエプロンシート部２の表面側２Ａを広い範囲で被う構造となり、エプロンシート部の表面汚れを効果的に防止できる。
【００５０】
次に、図４〜図７の実施形態について説明する。図４はエプロン本体１に別体の袋体１０を貼着した状態を示している。図５はエプロン本体に貼着する前の袋体１０を示している。図６は図４の袋体１０を裏返しポケット部１９とした状態を示している。図７はポケット部１９の開口部を広げ状態に固定できるようにテーブル固定面に貼着した状態を示している。
【００５１】
図５の袋体１０は、両側部と下部の三方を閉じられ、上部を袋開口部１４とした柔軟シート素材から成る扁平状の袋部１１と、この袋部１１を構成する互いに重なり合う二つの袋構成シート面部の一方を袋開口部の開口縁より上方に向けて一体的に延長して形成した袋部吊下げ用延長シート部１５と、この袋部吊下げ用延長シート部１５の上部の裏面（内側面）に設けた袋部吊下げ用粘着部１６と、この袋部吊下げ用粘着部１６の粘着面１６ａを剥離可能に被う被覆部１７を備え、更に、前記袋部の二つの袋構成シート面部の他方を袋開口部の開口縁より上方に向けて一体的に延長して形成したテーブル固定面係止用延長シート部２０と、このテーブル固定面係止用延長シート部の上部の内側面に設けたテーブル固定面係止用粘着部２１と、このテーブル固定面係止用粘着部の粘着面２１ａを剥離可能に被う被覆部２２を備えている。すなわち、図５の袋体は、図２の袋体１０に、テーブル固定面係止用延長シート部２０と、テーブル固定面係止用粘着部２１と、このテーブル固定面係止用粘着部の粘着面２１ａを剥離可能に被う被覆部２２を加えたものである。
【００５２】
図５の袋体１０は、具体的には、エプロン本体１のエプロンシート部２の横幅と同等かやや短い横幅の略矩形シートＳを、折り目１２を介して、一方のシート部Ｓ１を上下方向に長く、他方のシート部Ｓ２が上下方向に短くなるように互いの上端部が段違いとなるように折り返し、折り返した重ね合わせ部の両側部を折り目位置から途中位置まで封着１３し、封着１３した両側部と折り目１２からなる下部の三方が閉じられ、上部を袋開口部１４とした袋部１１を形成し、上下方向に長いシート部Ｓ１における袋開口部の開口縁から上端部までの上下範囲を袋部吊下げ用延長シート部１５とし、上下方向に短いシート部Ｓ２における袋開口部の開口縁から上端部までの上下範囲をテーブル固定面係止用延長シート部２０としてある。図５の袋体１０のように、折り返した重ね合わせ部の両側部を封着１３して袋部１１を形成してあると、この袋部１１を後述するように裏返しにした際、裏返された封着部の働きによって、裏返された袋部の袋開口部を前方に効果的に広げる効果がある。
【００５３】
この袋体１０の形成も、図５に示した折り返しによる他、上下方向に長い矩形シートに上下方向に短い矩形シートを重ね合わせ、重ね合わせ部の両側部と下部の三方を封着し、上部を開口して袋部１１を形成しても良い。
【００５４】
図５の袋体１０の素材は、前記した図２の袋体１０の素材と同様であるため、重複する説明は省略する。
【００５５】
この袋体１０における前記袋部吊下げ用延長シート部１５の袋部吊下げ用粘着部１６は、被覆部１７を剥離して露出された該袋部吊下げ用粘着部１６の粘着面１６ａが前記テーブル固定面係止用延長シート部２０の上端部より上方位置に設けた構成としてある。また、袋部吊下げ用粘着部１６とこの袋部吊下げ用粘着部１６より下方位置に設けた前記テーブル固定面係止用粘着部２１は、被覆部（１７，２２）を剥離して露出された互いの粘着面（１６ａ，２１ａ）が上下方向に段差をおいて向き合うように互いに内側に向けられた構成としてある。このように、被覆部１７を剥離して露出された袋部吊下げ用粘着部１６の粘着面１６ａが、テーブル固定面係止用延長シート部２０の上端部より上方位置に設けた構成であり、且つ内側に向けられた構成であるため、この袋部吊下げ用粘着部１６の粘着面１６ａを介して、袋部１１の袋開口部１４が上方に向けられ且つこの袋開口部１４及び前記テーブル固定面係止用延長シート部２０が袋部吊下げ用延長シート部１５より内側となるように袋部吊下げ用延長シート部１５の上部をエプロンシート部２の表面側２Ａの上下方向の適位置に貼着可能である。また、前記テーブル面係止用粘着部２１は、後述べるように、前記袋部１１の裏返し状態においては、その貼着面２１ａが外側に向けられ、テーブル固定面Ｔに貼着できるように、裏返し前の状態では、その粘着面２１ａを内側に向けて設けてある。
【００５６】
図５の実施例では、袋部吊下げ用延長シート部１５の上部の裏面（内側面）に設けた袋部吊下げ用粘着部１６と、この粘着部の粘着面１６ａを剥離可能に被う被覆部１７の構造として、図２の構造と同じ構造のものを採用している。すなわち、袋部吊下げ用延長シート部１５の上部の裏面（内側面）に摘みしろ１５ａを残して粘着剤を全幅方向に延ばして塗布し、この粘着剤が塗布されたシート端部を粘着部（粘着剤塗布部）１６が内側となるように折り込み、折り込まれたシート端部の粘着面１６ａが折り込み先の該延長シート部１５の対応面（この対応面が被覆部１７として機能する）で剥離可能に被われる構造にし、この粘着面１６ａを露出させる際は、図５（Ｂ）に矢印で示したように、裏面（内側面）に粘着部１６を設けたシート端部を摘みしろ１５ａを摘まんで捲り、延長シート部１５の対応面（被覆部１７）から粘着面１６ａを剥離させる構造としてある。捲られたシート端部の粘着面１６ａは、図５（Ｂ）に一点鎖線で示したように、内側に向けられた構造となる。なお、粘着剤は延長シート部の巾方向に部分的に塗布したものでも良い。
【００５７】
また、図５の実施例では、テーブル固定面係止用延長シート部２０の上部の内側面に設けたテーブル固定面係止用粘着部２１と、この粘着部の粘着面２１ａを剥離可能に被う被覆部２２の構造として、テーブル固定面係止用延長シート部２０の上部の内側面に摘みしろ２０ａを残して粘着剤を全幅方向に延ばして塗布し、この粘着剤が塗布されたシート端部を粘着部（粘着剤塗布部）２１が内側となるように折り込み、折り込まれたシート端部の粘着面２１ａが折り込み先の該延長シート部２０の対応面（この対応面が被覆部２２として機能する）で剥離可能に被われる構造としてある。前記テーブル面係止用粘着部２１は、図６の（Ｂ）に示したように袋部の裏返し状態においては、捲られたシート端部の粘着面２１ａが外側に向けられ、テーブル面に着脱自在に貼着できるように、裏返し前の状態では、図５の（Ｂ）に示したように、その粘着面（捲られたシート端部の粘着面）が内側に向けられた構造としてある。
【００５８】
なお、図１〜図３の実施形態のとろで述べたのと同様に、図４〜図７の実施形態においても、図示してないが、袋部吊下げ用延長シート部１５の上部の裏面（内側面）に設けた袋部吊下げ用粘着部１６と、この粘着部の粘着面１６ａを剥離可能に被う被覆部１７の構造として、袋部吊下げ用延長シート部１５の上端部に剥離しろ（被覆部１７として機能）を残して該延長シート部１５の上部の裏面（内側面）に粘着剤を全幅方向に延ばして塗布し、この粘着部（粘着剤塗布部）１６の粘着面１６ａを折り込んだ剥離しろ（被覆部１７として機能）で剥離可能に被う構造とすると共に、この剥離しろの端部を粘着部（粘着剤塗布部）１６より下方に突出させ、この突出部を摘みしろとして形成した構造とし、粘着面を露出させる際は、摘みしろを摘まんで剥離しろ（被覆部１７として機能）を捲り、この剥離しろ（被覆部１７として機能）を粘着面１６ａから剥がす構造としても良い。この場合も、粘着剤は延長シート部の巾方向に部分的に塗布したものでも良い。同様に、図示してないが、テーブル固定面係止用延長シート部２０の上部の内側面に設けたテーブル固定面係止用粘着部２１と、この粘着部の粘着面２１ａを剥離可能に被う被覆部２２の構造として、テーブル固定面係止用延長シート部２０の上端部に剥離しろ（被覆部２２として機能）を残して該延長シート部２０の上部の内側面に粘着剤を全幅方向に延ばして塗布し、この粘着部（粘着剤塗布部）２１の粘着面２１ａを折り込んだ剥離しろ（被覆部２２として機能）で剥離可能に被う構造とすると共に、この剥離しろの端部を粘着部（粘着剤塗布部）２１より下方に突出させ、この突出部を摘みしろとして形成した構造とし、粘着面を露出させる際は、摘みしろを摘まんで剥離しろ（被覆部２２として機能）を捲り、この剥離しろ（被覆部２２として機能）を粘着面２１ａから剥がす構造としても良い。この場合も、粘着剤は延長シート部の巾方向に部分的に塗布したものでも良い。
【００５９】
また、図１〜図３の実施形態のとろで述べたのと同様に、図４〜図７の実施形態においても、図示してないが、袋部吊下げ用延長シート部１５の上部の裏面に設けた袋部吊下げ用粘着部１６と、この粘着部の粘着面１６ａを剥離可能に被う被覆部１７の構造としては、袋部吊下げ用延長シート部１５の上部の裏面（内側面）に粘着剤を全幅方向に延ばして塗布、又は袋部吊下げ用延長シート部１５の上部の裏面（内側面）に粘着剤を該延長シート部の巾方向に部分的に塗布し、この粘着部（粘着剤塗布部）１６の粘着面１６ａを剥離テープ又は剥離紙（被覆部１７として機能）で剥離可能に被う構造とし、この粘着面１６ａを露出させる際は剥離テープ又は剥離紙（被覆部１７として機能）を粘着面１６ａから剥がす構造としても良い。同様に、図示してないが、テーブル固定面係止用延長シート部２０の上部の内側面に設けたテーブル固定面係止用粘着部２１と、この粘着部の粘着面２１ａを剥離可能に被う被覆部２２の構造としては、テーブル固定面係止用延長シート部２０の上部の内側面に粘着剤を全幅方向に延ばして塗布、又はテーブル固定面係止用延長シート部２０の上部の内側面に粘着剤を該延長シート部の巾方向に部分的に塗布し、この粘着部（粘着剤塗布部）２１の粘着面２１ａを剥離テープ又は剥離紙（被覆部２２として機能）で剥離可能に被う構造としても良い。
【００６０】
また、図１〜図３の実施形態のとろで述べたのと同様に、図４〜図７の実施形態においても、図示してないが、袋部吊下げ用延長シート部１５の上部の裏面（内側面）に設けた袋部吊下げ用粘着部１６と、この粘着部の粘着面１６ａを剥離可能に被う被覆部１７の構造としては、袋部吊下げ用延長シート部１５の上部の裏面（内側面）に両面粘着テープ（１６）の片面側を全幅方向に延ばして貼着し、他面側を粘着面（１６ａ）とし、この粘着面を剥離テープ（被覆部１７として機能）で剥離可能に被う構造とし、この粘着面（１６ａ）を露出させる際は剥離テープ（被覆部１７）を粘着面（１６ａ）から剥がす構造としても良い。なお、この場合も両面粘着テープは延長シート部の巾方向に部分的に貼着したものでも良い。同様に、図示してないが、テーブル固定面係止用延長シート部２０の上部の内側面に設けたテーブル固定面係止用粘着部２１と、この粘着部の粘着面２１ａを剥離可能に被う被覆部２２の構造としては、テーブル固定面係止用延長シート部２０の上部の内側面に両面粘着テープ（２１）の片面側を全幅方向に延ばして貼着し、他面側を粘着面（２１ａ）とし、この粘着面を剥離テープ（被覆部２２として機能）で剥離可能に被う構造とし、この粘着面（２１ａ）を露出させる際は剥離テープ（被覆部２２として機能）を粘着面（２１ａ）から剥がす構造としても良い。なお、この場合も両面粘着テープは延長シート部の巾方向に部分的に貼着したものでも良い。
【００６１】
また、袋部吊下げ用延長シート部１５の上部の裏面（内側面）に設けた袋部吊下げ用粘着部１６と、この粘着部の粘着面１６ａを剥離可能に被う被覆部１７の構造、テーブル固定面係止用延長シート部２０の上部の内側面に設けたテーブル固定面係止用粘着部２１と、この粘着部の粘着面２１ａを剥離可能に被う被覆部２２の構造は、前記したような同じ構造のものに限定する必要はなく、異なる構造のものを組み合わせても良い。例えば、袋部吊下げ用粘着部１６と、この粘着面１６ａを剥離可能に被う被覆部１７の構造は、図２に示した構造とし、テーブル固定面係止用粘着部２１と、この粘着面２１ａを剥離可能に被う被覆部２２の構造は、図示してない、テーブル固定面係止用延長シート部２０の上部の内側面に粘着剤を全幅方向に延ばして塗布、又はテーブル固定面係止用延長シート部２０の上部の内側面に粘着剤を該延長シート部の巾方向に部分的に塗布し、この粘着部（粘着剤塗布部）２１の粘着面２１ａを剥離テープ又は剥離紙（被覆部２２として機能）で剥離可能に被う構造とすることができる。
【００６２】
袋部吊下げ用粘着部１６の接着力は、図１〜図３の実施形態のとろで述べたのと同様に、再剥離可能（貼り付け後にエプロンシート部２の表面側から袋部吊下げ用延長シート部１５を剥がすことが可能）なものとしてある。これによって汚れた袋体のみ新しい袋体に取り替え可能となる。また、テーブル固定面係止用粘着部２１の接着力も、再剥離可能（貼り付け後にテーブル固定面Ｔからテーブル固定面係止用延長シート部２０を剥がすことが可能）なものとしてある。
【００６３】
ポケット付きエプロンとして使用する際は、被覆部１７を剥離して露出された袋部吊下げ用粘着部１６の粘着面１６ａ（図５のＢに一点鎖線で示した）を介して、袋部１１の袋開口部１４が上方に向けられ且つこの袋開口部１４及び前記テーブル固定面係止用延長シート部２０が袋部吊下げ用延長シート部１５より内側となるように袋部吊下げ用延長シート部１５の上部をエプロンシート部２の表面側２Ａ（エプロンシート部２の裏面側２Ｂは着用者の前面側に接する。）の上下方向の適位置に貼着し（図４参照）、この貼着状態において袋開口部１４及び前記テーブル固定面係止用延長シート部２０が袋部吊下げ用延長シート部１５より内側となっている前記袋部１１及び前記テーブル固定面係止用延長シート部２０の内外面を該袋部の袋開口部１４及び前記テーブル固定面係止用延長シート部２０が袋部吊下げ用延長シート部１５より外側となるように裏返しにすることによって、裏返しにされた袋部１１はその袋開口部１４及び前記テーブル固定面係止用延長シート部２０が袋部吊下げ用延長シート部１５より外側となり且つ上方に向けて開口されている袋開口部１４が前方に広げられたポケット部１９と成ると共に、裏返しにされたテーブル固定面係止用延長シート部２０はテーブル固定面係止用粘着部２１を設けた面が外側面と成り（図６参照）、被覆部２２が剥離され露出したテーブル固定面係止用粘着部２１の外側（前方）に向けられた粘着面２１ａ（図６のＢに一点鎖線で示した）を介して、テーブル固定面係止用延長シート部２０の先端部をテーブル固定面Ｔに貼着し（図７参照）、テーブル固定面Ｔに固定されたテーブル固定面係止用延長シート部２０によって、前記ポケット部１９の開口部１４を広げ状態に固定できるようにした。
【００６４】
図示した実施例では、図５（Ｂ）に矢印で示したように、裏面（内側面）に粘着部１６を設けたシート端部を捲って延長シート部１５の対応面（被覆部１７）から粘着面１６ａを剥離させ、図５（Ｂ）に一点鎖線で示したように内側に向けられた粘着部１６の粘着面１６ａを図４のようにエプロンシート部２の表面側２Ａに貼り付けている。
【００６５】
図４では、袋部１１がエプロンシート部２の下端より突出した下方位置に配置されるように袋部吊下げ用延長シート部１５の上部をエプロンシート部２の表面側２Ａの下部位置に貼着してある。しかし、図１〜図３の実施形態で述べたように、この貼着位置は図示した位置に限定するものではなく、例えば、袋部１１がエプロンシート部２の表面側２Ａの下部位置に配置されるように袋部吊下げ用延長シート部１５の上部をエプロンシート部２の表面側２Ａの上下方向における略中間位置に貼着しても良い。このように、本考案によれば、エプロンシート部２の上下方向に対する袋部吊下げ用延長シート部１５の貼着位置をユーザーが調整可能なため、ポケット部１９を食べこぼした物を効率的に受け得る好ましい高さ位置に設置できる。これは、図示した袋体１０を丈長さの異なるエプロン本体１に貼着して用いる場合においても、袋体の袋部１１を好ましい高さ位置に設置可能であることを意味する。
【００６６】
この実施形態では、吊り下げられた袋部１１を図４の態様から図６の態様に裏返しにすることによって、裏返しにされた袋部１１の袋開口部１４及び前記テーブル固定面係止用延長シート部２０が袋部吊下げ用延長シート部１５より外側（前方）となり且つ上方に向けて開口されている袋開口部１４が前方に広げられたポケット部１９と成り、このポケット部１９で食べこぼした物を受けるようにしている。そして、袋部１１と共に裏返しされたテーブル固定面係止用延長シート部２０のテーブル面係止用粘着部２１が外側（前方）に向けられ、外側（前方）に向けられたテーブル面係止用粘着部２１のシート端部を図６（Ｂ）に矢印で示したように捲って、図６（Ｂ）に一点鎖線で示したように粘着面２１ａを外側（前方）に向けて露出させ、外側（前方）に向けて露出させた粘着面２１ａを介して、図７に示したようにテーブル固定面係止用延長シート部２０の先端部をテーブル固定面Ｔに貼り付け、ポケット部１９の開口部を広げ状態に固定できるようにした。
【００６７】
図４、図６に示した実施形態において、袋部吊下げ用延長シート部１５の上下方向の長さは、袋部吊下げ用延長シート部１５の上部をエプロンシート部２の表面側２Ａの下部位置に粘着部１６を介して貼着した際、袋部１１の全体がエプロンシート部２の下端より少し下方に突出して位置されるように形成してある。しかし、図１〜図３の実施形態で述べたように、袋部吊下げ用延長シート部１５の上下方向の長さは、図示した実施形態のものに限定されるものではなく、例えば、図示してないが、袋部吊下げ用延長シート部１５の上部をエプロンシート部２の表面側２Ａの上部位置に粘着部１６を介して貼着した際、袋部１１の全体がエプロンシート部２の下端より少し下方に位置するように長く形成することもできる。このように袋部吊下げ用延長シート部１５の上下方向の長さを長く形成してある場合は、図１〜図３の実施形態で述べたように、袋部吊下げ用延長シート部１５がエプロンシート部２の表面側２Ａを広い範囲で被う構造となり、エプロンシート部の表面汚れを効果的に防止できる。
【００６８】
次に、図８〜図１０の実施形態について説明する。図８はエプロン本体１に別体の袋体１０を貼着した状態を示している。図９はエプロン本体に貼着する前の袋体１０を示している。図１０はポケット部９の開口部を広げ状態に固定できるようにテーブル固定面に貼着した状態を示している。
【００６９】
図９の袋体は、両側部と下部の三方を閉じられ、上部を袋開口部１４とした柔軟シート素材から成る扁平状の袋部１１と、この袋部１１を構成する互いに重なり合う二つの袋構成シート面部の一方を袋開口部の開口縁より上方に向けて一体的に延長して形成した袋部吊下げ用延長シート部１５と、この袋部吊下げ用延長シート部１５の上部の外側面に設けた袋部吊下げ用粘着部１６と、この袋部吊下げ用粘着部１６の粘着面１６ａを剥離可能に被う被覆部１７を備え、更に、前記袋部１１の二つの袋構成シート面部の他方を袋開口部の開口縁より上方に向けて一体的に延長して形成したテーブル固定面係止用延長シート部２０と、このテーブル固定面係止用延長シート部２０の上部の外側面に設けたテーブル固定面係止用粘着部２１と、このテーブル固定面係止用粘着部２１の粘着面２１ａを剥離可能に被う被覆部２２を備えている。図９の袋体１０は、袋部吊下げ用粘着部１６を袋部吊下げ用延長シート部１５の上部の外側面に設け、テーブル固定面係止用粘着部２１をテーブル固定面係止用延長シート部２０の上部の外側面に設けた構造が、前記した図５の袋体１０と相違する。すなわち、この袋体１０の前記袋部吊下げ用粘着部１６と前記テーブル固定面係止用粘着部２１は、被覆部（１７，２２）を剥離して露出された互いの粘着面（１６ａ，２１ａ）が前後方向において互いに外側に向けられた反対向きの構成としてある。
【００７０】
図９の袋体１０の形成は、図５の袋体と同様に、エプロン本体１のエプロンシート部２の横幅と同等かやや短い横幅の略矩形シートＳを、折り目１２を介して、一方のシート部Ｓ１を上下方向に長く、他方のシート部Ｓ２が上下方向に短くなるように互いの上端部が段違いとなるように折り返し、折り返した重ね合わせ部の両側部を折り目位置から途中位置まで封着１３し、封着１３した両側部と折り目１２からなる下部の三方が閉じられ、上部を袋開口部１４とした袋部１１を形成し、上下方向に長いシート部Ｓ１における袋開口部の開口縁から上端部までの上下範囲を袋部吊下げ用延長シート部１５とし、上下方向に短いシート部Ｓ２における袋開口部の開口縁から上端部までの上下範囲をテーブル固定面係止用延長シート部２０としてある。
【００７１】
図５の袋体１０で述べたと同様に、この袋体１０の形成も、図９に示した折り返しによる他、上下方向に長い矩形シートに上下方向に短い矩形シートを重ね合わせ、重ね合わせ部の両側部と下部の三方を封着し、上部を開口して袋部１１を形成しても良い。
【００７２】
図９の袋体１０の素材は、前記した図２の袋体１０の素材と同様であるため、重複する説明は省略する。
【００７３】
図９の実施例では、袋部吊下げ用延長シート部１５の上部の外側面に設けた袋部吊下げ用粘着部１６と、この粘着部の粘着面１６ａを剥離可能に被う被覆部１７の構造として、図５の構造と実質的に同じ構造のものを採用している。すなわち、袋部吊下げ用延長シート部１５の上部の外側面に摘みしろ１５ａを残して粘着剤を全幅方向に延ばして塗布し、この粘着剤が塗布されたシート端部を粘着部（粘着剤塗布部）１６が内側となるように折り込み、折り込まれたシート端部の粘着面１６ａが折り込み先の該延長シート部１５の対応面（この対応面が被覆部１７として機能する）で剥離可能に被われる構造にし、この粘着面１６ａを露出させる際は、図９（Ｂ）に矢印で示したように、外側面に粘着部１６を設けたシート端部を摘みしろ１５ａを摘まんで捲り、延長シート部１５の対応面（被覆部１７）から粘着面１６ａを剥離させる構造としてある。捲られたシート端部の粘着面１６ａは、図９（Ｂ）に一点鎖線で示したように、外側に向けられた構造となる。なお、粘着剤は延長シート部の巾方向に部分的に塗布したものでも良い。
【００７４】
また、図９の実施例では、テーブル固定面係止用延長シート部２０の上部の外側面に設けたテーブル固定面係止用粘着部２１と、この粘着部の粘着面２１ａを剥離可能に被う被覆部２２の構造として、図５の構造と実質的に同じ構造のものを採用している。すなわち、テーブル固定面係止用延長シート部２０の上部の外側面に摘みしろ２０ａを残して粘着剤を全幅方向に延ばして塗布し、この粘着剤が塗布されたシート端部を粘着部（粘着剤塗布部）２１が内側となるように折り込み、折り込まれたシート端部の粘着面２１ａが折り込み先の該延長シート部２０の対応面（この対応面が被覆部２２として機能する）で剥離可能に被われる構造としてある。この粘着面２１ａを露出させる際は、図８（Ｂ）に矢印で示したように、外側面に粘着部２１を設けたシート端部を捲って延長シート部２０の対応面（被覆部２２）から粘着面２１ａを剥離させる構造としてある。捲られたシート端部の粘着面２１ａは、図８（Ｂ）に一点鎖線で示したように、外側に向けられた構造となる。このようにして、図９の袋体１０の前記袋部吊下げ用粘着部１６と前記テーブル固定面係止用粘着部２１は、被覆部（１７，２２）を剥離して露出された互いの粘着面（１６ａ，２１ａ）が前後方向において互いに外側に向けられた反対向きの構成となる。
【００７５】
なお、図８〜図１０の実施形態においても、図示してないが、袋部吊下げ用延長シート部１５の上部の外側面に設けた袋部吊下げ用粘着部１６と、この粘着部の粘着面１６ａを剥離可能に被う被覆部１７の構造として、袋部吊下げ用延長シート部１５の上端部に剥離しろ（被覆部１７として機能）を残して該延長シート部１５の上部の外側面に粘着剤を全幅方向に延ばして塗布し、この粘着部（粘着剤塗布部）１６の粘着面１６ａを折り込んだ剥離しろ（被覆部１７として機能）で剥離可能に被う構造とすると共に、この剥離しろの端部を粘着部（粘着剤塗布部）１６より下方に突出させ、この突出部を摘みしろとして形成した構造とし、粘着面を露出させる際は、摘みしろを摘まんで剥離しろ（被覆部１７として機能）を捲り、この剥離しろ（被覆部１７として機能）を粘着面１６ａから剥がす構造としても良い。この場合も、粘着剤は延長シート部の巾方向に部分的に塗布したものでも良い。同様に、図示してないが、テーブル固定面係止用延長シート部２０の上部の外側面に設けたテーブル固定面係止用粘着部２１と、この粘着部の粘着面２１ａを剥離可能に被う被覆部２２の構造として、テーブル固定面係止用延長シート部２０の上端部に剥離しろ（被覆部２２として機能）を残して該延長シート部２０の上部の外側面に粘着剤を全幅方向に延ばして塗布し、この粘着部（粘着剤塗布部）２１の粘着面２１ａを折り込んだ剥離しろ（被覆部２２として機能）で剥離可能に被う構造とすると共に、この剥離しろの端部を粘着部（粘着剤塗布部）２１より下方に突出させ、この突出部を摘みしろとして形成した構造とし、粘着面を露出させる際は、摘みしろを摘まんで剥離しろ（被覆部２２として機能）を捲り、この剥離しろ（被覆部２２として機能）を粘着面２１ａから剥がす構造としても良い。この場合も、粘着剤は延長シート部の巾方向に部分的に塗布したものでも良い。
【００７６】
また、図８〜図１０の実施形態においても、図示してないが、袋部吊下げ用延長シート部１５の上部の外側面に設けた袋部吊下げ用粘着部１６と、この粘着部の粘着面１６ａを剥離可能に被う被覆部１７の構造としては、袋部吊下げ用延長シート部１５の上部の外側面に粘着剤を全幅方向に延ばして塗布、又は袋部吊下げ用延長シート部１５の上部の外側面に粘着剤を該延長シート部の巾方向に部分的に塗布し、この粘着部（粘着剤塗布部）１６の粘着面１６ａを剥離テープ又は剥離紙（被覆部１７として機能）で剥離可能に被う構造とし、この粘着面１６ａを露出させる際は剥離テープ又は剥離紙（被覆部１７として機能）を粘着面１６ａから剥がす構造としても良い。同様に、図示してないが、テーブル固定面係止用延長シート部２０の上部の外側面に設けたテーブル固定面係止用粘着部２１と、この粘着部の粘着面２１ａを剥離可能に被う被覆部２２の構造としては、テーブル固定面係止用延長シート部２０の上部の外側面に粘着剤を全幅方向に延ばして塗布、又はテーブル固定面係止用延長シート部２０の上部の外側面に粘着剤を該延長シート部の巾方向に部分的に塗布し、この粘着部（粘着剤塗布部）２１の粘着面２１ａを剥離テープ又は剥離紙（被覆部２２として機能）で剥離可能に被う構造としても良い。
【００７７】
また、図８〜図１０の実施形態においても、図示してないが、袋部吊下げ用延長シート部１５の上部の外側面に設けた袋部吊下げ用粘着部１６と、この粘着部の粘着面１６ａを剥離可能に被う被覆部１７の構造としては、袋部吊下げ用延長シート部１５の上部の外側面に両面粘着テープ（１６）の片面側を全幅方向に延ばして貼着し、他面側を粘着面（１６ａ）とし、この粘着面（１６ａ）を剥離テープ（被覆部１７として機能）で剥離可能に被う構造とし、この粘着面（１６ａ）を露出させる際は剥離テープ（被覆部１７として機能）を粘着面（１６ａ）から剥がす構造としても良い。同様に、図示してないが、テーブル固定面係止用延長シート部２０の上部の外側面に設けたテーブル固定面係止用粘着部２１と、この粘着部の粘着面２１ａを剥離可能に被う被覆部２２の構造としては、テーブル固定面係止用延長シート部２０の上部の外側面に両面粘着テープ（２１）の片面側を全幅方向に延ばして貼着し、他面側を粘着面（２１ａ）とし、この粘着面（２１ａ）を剥離テープ（被覆部２２として機能）で剥離可能に被う構造とし、この粘着面（２１ａ）を露出させる際は剥離テープ（被覆部２２として機能）を粘着面（２１ａ）から剥がす構造としても良い。
【００７８】
また、図４〜図７の実施形態のところで述べたように、この実施形態においても、袋部吊下げ用延長シート部１５の上部の外側面に設けた袋部吊下げ用粘着部１６と、この粘着部の粘着面１６ａを剥離可能に被う被覆部１７の構造、テーブル固定面係止用延長シート部２０の上部の外側面に設けたテーブル固定面係止用粘着部２１と、この粘着部の粘着面２１ａを剥離可能に被う被覆部２２の構造は、前記したような同じ構造のものに限定する必要はなく、異なる構造のものを適宜組み合わせても良い。
【００７９】
袋部吊下げ用粘着部１６の接着力は、前の実施形態のとろで述べたのと同様に、再剥離可能（貼り付け後にエプロンシート部２の表面側２Ａから袋部吊下げ用延長シート部１５を剥がすことが可能）なものとしてある。これによって汚れた袋体１０のみ新しい袋体に取り替え可能となる。また、テーブル固定面係止用粘着部２１の接着力も、再剥離可能（貼り付け後にテーブル固定面Ｔからテーブル固定面係止用延長シート部２０を剥がすことが可能）なものとしてある。
【００８０】
ポケット付きエプロンとして使用する際は、被覆部１７を剥離して露出された袋部吊下げ用粘着部１６の粘着面１６ａ（図９のＢに一点鎖線で示した）を介して、袋部１１の袋開口部１４が上方に向けられ且つこの袋開口部１４及び前記テーブル固定面係止用延長シート部２０が袋部吊下げ用延長シート部１５より外側となるように袋部吊下げ用延長シート部１５の上部をエプロンシート部２の表面側２Ａ（エプロンシート部２の裏面側２Ｂは着用者の前面側に接する。）の上下方向の適位置に貼着（図８参照）し、この貼着態様において袋開口部１４が上方に向けられ且つこの袋開口部１４が外側となっている袋部１１をポケット部１９とし（図８参照）、このポケット部１９の前側に位置するテーブル固定面係止用延長シート部２０の先端部を、被覆部２２が剥離され露出したテーブル固定面係止用粘着部２１の外側（前方）に向けられた粘着面２１ａ（図８のＢに一点鎖線で示した）を介して、テーブル固定面Ｔに貼着し（図１０参照）、テーブル固定面Ｔに固定されたテーブル固定面係止用延長シート部２０によって、前記ポケット部１９の開口部１４を前方に突出した広げ状態に固定できるようにした。
【００８１】
図示した実施例では、図９（Ｂ）に矢印で示したように、外側面に粘着部１６を設けた袋部吊下げ用延長シート部１５のシート端部を捲って該延長シート部１５の対応面（被覆部１７）から粘着面１６ａを剥離させ、図９（Ｂ）に一点鎖線で示したように外側に向けられた粘着部１６の粘着面１６ａを図８のようにエプロンシート部２の表面側２Ａに貼り付ける。さらに、図８（Ｂ）に矢印で示したように、外側面に粘着部２１を設けたテーブル固定面係止用延長シート部２０のシート端部を捲って該延長シート部２０の対応面（被覆部２２）から粘着面２１ａを剥離させ、図８（Ｂ）に一点鎖線で示したように外側（前方）に向けられた粘着部２１の粘着面２１ａを介して、図１０に示したようにテーブル固定面係止用延長シート部２０の先端部をテーブル固定面Ｔに貼り付け、ポケット部１９の開口部１４を前方に広げられた状態に固定できるようにした。
【００８２】
図８では、袋部１１がエプロンシート部２の下端より突出した下方位置に配置されるように袋部吊下げ用延長シート部１５の上部をエプロンシート部２の表面側２Ａの下部位置に貼着してある。しかし、前の実施形態で述べたように、この貼着位置は図示した位置に限定するものではなく、例えば、袋部１１がエプロンシート部２の表面側２Ａの下部位置に配置されるように袋部吊下げ用延長シート部１５の上部をエプロンシート部２の表面側２Ａの上下方向における略中間位置に貼着しても良い。このように、本考案によれば、エプロンシート部２の上下方向に対する袋部吊下げ用延長シート部１５の貼着位置をユーザーが調整可能なため、ポケット部１９を食べこぼした物を効率的に受け得る好ましい高さ位置に設置できる。これは、図示した袋体１０を丈長さの異なるエプロン本体１に貼着して用いる場合においても、袋体の袋部１１を好ましい高さ位置に設置可能であることを意味する。
【００８３】
図８に示した実施形態において、袋部吊下げ用延長シート部１５の上下方向の長さは、袋部吊下げ用延長シート部１５の上部をエプロンシート部２の表面側２Ａの下部位置に粘着部１６を介して貼着した際、袋部１１の全体がエプロンシート部２の下端より少し下方に突出して位置されるように形成してある。しかし、前の実施形態で述べたように、袋部吊下げ用延長シート部１５の上下方向の長さは、図示した実施形態のものに限定されるものではなく、例えば、図示してないが、袋部吊下げ用延長シート部１５の上部をエプロンシート部２の表面側２Ａの上部位置に粘着部１６を介して貼着した際、袋部１１の全体がエプロンシート部２の下端より少し下方に位置するように長く形成することもできる。このように袋部吊下げ用延長シート部１５の上下方向の長さを長く形成してある場合は、前の実施形態で述べたように、袋部吊下げ用延長シート部１５がエプロンシート部２の表面側２Ａを広い範囲で被う構造となり、エプロンシート部の表面汚れを効果的に防止できる。
【００８４】
図１１，図１２の実施形態、図１３，図１４，図１５の実施形態、図１６，図１７の実施形態に示したポケット付きエプロンは、食べこぼした物を受けるポケット部をエプロン本体１とは別体の袋体１０で構成し、この袋体１０をエプロン本体１に接合（接着）した構造のポケット付きエプロンである。
【００８５】
先ず図１１，図１２の実施形態について説明する。図１１はエプロン本体１に別体の袋体１０を接合（接着）した構造の袋付きエプロンを示している。図１２は図１１の袋体１０を裏返しにした使用態様を示している。
【００８６】
図１１，図１２に示した実施形態のポケット付き簡易エプロンは、エプロン本体１と、このエプロン本体とは別体の袋体１０から成り、前記袋体１０が、両側部と下部の三方を閉じられ、上部を袋開口部１４とした柔軟シート素材から成る扁平状の袋部１１と、この袋部１１を構成する互いに重なり合う二つの袋構成シート面部の一方を袋開口部の開口縁より上方に向けて一体的に延長して形成した袋部吊下げ用延長シート部１５を備え、前記袋部１１の袋開口部１４が上方に向けられ且つこの袋開口部１４が袋部吊下げ用延長シート部１５より内側となるように袋部吊下げ用延長シート部１５の上部の裏面をエプロンシート部２の表面側２Ａ（エプロンシート部２の裏面側２Ｂは着用者の前面側に接する。）の上下方向の適位置に接合（接着）３０して構成されている（図１１参照）。ポケット付きエプロンとして使用する際は、この接合状態において袋開口部１４が袋部吊下げ用延長シート部１５より内側となっている前記袋部１１の内外面を該袋部の袋開口部１４が袋部吊下げ用延長シート部より外側（前方）となるように裏返しにすることによって、裏返しにされた袋部１１はその袋開口部１４が袋部吊下げ用延長シート部１５より外側（前方）となり且つ上方に向けて開口されている袋開口部１４が前方に広げられたポケット部１９と成り（図１２参照）、このポケット部１９で食べこぼした物を受けるようにしたものである。
【００８７】
図１１では、袋部１１がエプロンシート部２の下端より少し下方に突出した位置に配置されるように袋部吊下げ用延長シート部１５の上部の裏面をエプロンシート部２の表面側２Ａの下部位置に接合（接着）３０してある。しかし、この接合位置は図示した位置に限定するものではなく、この接合位置はこの接合位置によって決定される袋部１１（ポケット部１９）の高さ位置が食べこぼした物を効率的に受け得る好ましい高さ位置となるように構成する。例えば、エプロンシート部の丈長さが図示のエプロン本体より長い構造のエプロン本体では、袋部１１がエプロンシート部２の表面側２Ａの下部位置に配置されるように袋部吊下げ用延長シート部１５の上部をエプロンシート部２の表面側２Ａの上下方向における略中間位置に接合しても良い。
【００８８】
図１１の袋体１０は、具体的には、エプロン本体１のエプロンシート部２の横幅と同等かやや短い横幅の略矩形シートＳを、折り目１２を介して、一方のシート部Ｓ１を上下方向に長く、他方のシート部Ｓ２が上下方向に短くなるように互いの上端部が段違いとなるように折り返し、折り返した重ね合わせ部の両側部を折り目位置から途中位置まで封着１３し、封着１３した両側部と折り目１２からなる下部の三方が閉じられ、上部を袋開口部１４とした袋部１１を形成し、上下方向に長いシート部Ｓ１における袋開口部の開口縁から上端部までの上下範囲を袋部吊下げ用延長シート部１５とし、上下方向に短いシート部Ｓ２における袋開口部の開口縁から上端部までの上下範囲を延長シート部１８（この延長シート部は、後で述べるようにポケット部の開口部を更に前方に広く広げたものにできる働きを有する。）としてある。なお、折り返した重ね合わせ部の両側部を全長さにわたって封着し、図１１に示した延長シート部を形成しない構造としても良いことは勿論である。図１１の袋体１０のように、折り返した重ね合わせ部の両側部を封着１３して袋部１１を形成してあると、この袋部１１を後述するように裏返しにした際、裏返された封着部の働きによって、裏返された袋部の袋開口部を前方に効果的に広げる効果がある。
【００８９】
袋体１０の形成は、図１１に示した折り返しによる他、上下方向に長い矩形シートに上下方向に短い矩形シートを重ね合わせ、重ね合わせ部の両側部と下部の三方を封着し、上部を開口して袋部１１を形成しても良い。
【００９０】
袋体１０の素材は図１〜図１０の実施形態と同様、食べこぼした物や飲みこぼした液体を透過させないものが好ましく、ポリエチレン等のプラスチックフィルムシートや、不織布、紙、布、ビニール等のシート素材に防水性を有するプラスチックをラミネートした積層素材も採用できる。この実施例では、素材コストや加工性に鑑みポリエチレン等の熱可塑性の柔軟なプラスチックフィルムシートを用いている。袋体の素材がポリエチレン等の熱可塑性のプラスチックフィルムシートであれば、加熱溶着によって簡単且つ確実に封着部を封着（ヒートシール）できる。このプラスチックフィルムシートは、透明なものでも良いが、中身（食べこぼした物）が見えない不透明又は半透明のものが好ましい。
【００９１】
袋部吊下げ用延長シート部１５の上部の裏面をエプロンシート部２の表面側２Ａに接合１６する手段として、この実施例では接着剤を介して接合（接着）している。しかし、本発明において、この接合手段は特に限定するこのではない。袋部吊下げ用延長シート部１５とエプロンシート部２の表面素材に適した接合手段を採用することができる。
【００９２】
本考案は、吊り下げられた袋部１１を図１１の態様から図１２のように裏返しにし、裏返しにされた袋部１１をその袋開口部１４が前方に広げられたポケット部１９とし、前方に広げられたポケット部１９で食べこぼした物を受けるようにしている。その際、図１１の実施例のように延長シート部１８を形成したものであれば、図１２から明らかなように、この延長シート部１８によってポケット部１９の開口部１４を更に前方に広く広げたものにできる。
【００９３】
図示した実施形態において、袋部吊下げ用延長シート部１５の上下方向の長さは、袋部吊下げ用延長シート部１５の上部をエプロンシート部２の表面側の下部位置に接合した態様において、袋部１１の全体がエプロンシート部２の下端より少し下方に突出して位置されるように形成してある。しかし、袋部吊下げ用延長シート部１５の上下方向の長さは、図示した実施形態のものに限定されるものではなく、例えば、図示してないが、袋部吊下げ用延長シート部１５の上部をエプロンシート部２の表面側２Ａの上部位置に接合した態様において、袋部１１の全体がエプロンシート部２の下端より少し下方に突出した位置となるように長く形成することもできる。このように袋部吊下げ用延長シート部１５の上下方向の長さを長く形成してある場合は、袋部吊下げ用延長シート部１５がエプロンシート部２の表面側２Ａを広い範囲で被う構造となり、エプロンシート部の表面汚れを効果的に防止できる。
【００９４】
次に図１３，図１４，図１５の実施形態について説明する。図１３はエプロン本体１に別体の袋体１０を接合（接着）した構造の袋付きエプロンを示している。図１４は図１３の袋体１０を裏返しポケット部とした状態を示している。図１５はポケット部の開口部を広げ状態に固定できるようにテーブル固定面に貼着した状態を示している。
【００９５】
図１３〜図１５図に示した実施形態のポケット付き簡易エプロンは、エプロン本体１と、このエプロン本体とは別体の袋体１０から成り、前記袋体１０が、両側部と下部の三方を閉じられ、上部を袋開口部１４とした柔軟シート素材から成る扁平状の袋部１１と、この袋部を構成する互いに重なり合う二つの袋構成シート面部の一方を袋開口部の開口縁より上方に向けて一体的に延長して形成した袋部吊下げ用延長シート部１５を備え、更に、この袋体１０が、前記袋部の二つの袋構成シート面部の他方を袋開口部の開口縁より上方に向けて一体的に延長して形成したテーブル固定面係止用延長シート部２０と、このテーブル固定面係止用延長シート部の上部の内側面に設けたテーブル固定面係止用粘着部２１と、このテーブル固定面係止用粘着部の粘着面２１ａを剥離可能に被う被覆部２２を備え、この袋体１０における前記袋部吊下げ用延長シート部１５の上部は前記テーブル固定面係止用延長シート部２０の上端部より上方に延長させた構成とすると共に、この袋体１０における前記テーブル固定面係止用粘着部２１は、被覆部２２を剥離して露出されたテーブル固定面係止用粘着部２１の粘着面２１ａが前記袋部吊下げ用延長シート部１５の裏面側に向けられた構成としてあり、前記袋部１１の袋開口部１４が上方に向けられ且つこの袋開口部１４及び前記テーブル固定面係止用延長シート部２０が袋部吊下げ用延長シート部１５より内側となるように袋部吊下げ用延長シート部１５の上部の裏面をエプロンシート部２の表面側２Ａ（エプロンシート部２の裏面側２Ｂは着用者の前面側に接する。）の上下方向の適位置に接合（接着）３０して構成されている（図１３参照）。
【００９６】
図１３の袋体１０は、図１１の袋体１０に、テーブル固定面係止用延長シート部２０と、テーブル固定面係止用粘着部２１と、このテーブル固定面係止用粘着部の粘着面２１ａを剥離可能に被う被覆部２２を加えたものである。図１３の袋体１０は、具体的には、エプロン本体１のエプロンシート部２の横幅と同等かやや短い横幅の略矩形シートＳを、折り目１２を介して、一方のシート部Ｓ１を上下方向に長く、他方のシート部Ｓ２が上下方向に短くなるように互いの上端部が段違いとなるように折り返し、折り返した重ね合わせ部の両側部を折り目位置から途中位置まで封着１３し、封着１３した両側部と折り目１２からなる下部の三方が閉じられ、上部を袋開口部１４とした袋部１１を形成し、上下方向に長いシート部Ｓ１における袋開口部の開口縁から上端部までの上下範囲を袋部吊下げ用延長シート部１５とし、上下方向に短いシート部Ｓ２における袋開口部の開口縁から上端部までの上下範囲をテーブル固定面係止用延長シート部２０としてある。図１３の袋体１０のように、折り返した重ね合わせ部の両側部を封着１３して袋部１１を形成してあると、この袋部１１を後述するように裏返しにした際、裏返された封着部の働きによって、裏返された袋部の袋開口部を前方に効果的に広げる効果がある。
【００９７】
この袋体１０の形成も、図１３に示した折り返しによる他、上下方向に長い矩形シートに上下方向に短い矩形シートを重ね合わせ、重ね合わせ部の両側部と下部の三方を封着し、上部を開口して袋部１１を形成しても良い。
【００９８】
図１３の袋体１０の素材は、前記した図１１の袋体１０の素材と同様であるため、重複する説明は省略する。
【００９９】
図１３の実施例では、テーブル固定面係止用延長シート部２０の上部の内側面に設けたテーブル固定面係止用粘着部２１と、この粘着部の粘着面２１ａを剥離可能に被う被覆部２２の構造として、図５の構造と同構造のものを採用している。すなわち、テーブル固定面係止用延長シート部２０の上部の内側面に摘みしろ２０ａを残して粘着剤を全幅方向に延ばして塗布し、この粘着剤が塗布されたシート端部を粘着部（粘着剤塗布部）２１が内側となるように折り込み、折り込まれたシート端部の粘着面２１ａが折り込み先の該延長シート部２０の対応面（この対応面が被覆部２２として機能する）で剥離可能に被われる構造としてある。前記テーブル面係止用粘着部２１は、図１４の（Ｂ）に示したように袋部の裏返し状態においては、捲られたシート端部の粘着面２１ａが外側に向けられ、テーブル面に着脱自在に貼着できるように、裏返し前の状態では、図１３の（Ｂ）に示したように、その粘着面（捲られたシート端部の粘着面）が内側に向けられた構造としてある。
【０１００】
なお、この実施形態においても、テーブル固定面係止用延長シート部２０の上部の内側面に設けたテーブル固定面係止用粘着部２１と、この粘着部の粘着面２１ａを剥離可能に被う被覆部２２の構造としては、図４〜図７の実施形態のとろで述べたのと同様その他の構造としても良い。ここでは重複した説明は省略する。
【０１０１】
テーブル固定面係止用粘着部２１の接着力は、図４〜図７の実施形態のとろで述べたのと同様に、再剥離可能（貼り付け後にテーブル固定面Ｔからテーブル固定面係止用延長シート部２０を剥がすことが可能）なものとしてある。
【０１０２】
図１３では、袋部１１がエプロンシート部２の下端より少し下方に突出した位置に配置されるように袋部吊下げ用延長シート部１５の上部の裏面をエプロンシート部２の表面側２Ａの下部位置に接合（接着）３０してある。しかし、この接合位置は図示した位置に限定するものではなく、図１１の説明で述べたと同様に、この接合位置はこの接合位置によって決定される袋部１１（ポケット部１９）の高さ位置が食べこぼした物を効率的に受け得る好ましい高さ位置となるように構成する。例えば、エプロンシート部の丈長さが図示のエプロン本体より長い構造のエプロン本体では、袋部１１がエプロンシート部２の表面側２Ａの下部位置に配置されるように袋部吊下げ用延長シート部１５の上部をエプロンシート部２の表面側２Ａの上下方向における略中間位置に接合しても良い。
【０１０３】
袋部吊下げ用延長シート部１５の上部の裏面をエプロンシート部２の表面側２Ａに接合１６する手段として、この実施例では接着剤を介して接合（接着）している。しかし、本発明において、この接合手段は特に限定するこのではない。袋部吊下げ用延長シート部１５とエプロンシート部２の表面素材に適した接合手段を採用することができる。
【０１０４】
ポケット付きエプロンとして使用する際は、この接合（接着）状態において袋開口部１４及び前記テーブル固定面係止用延長シート部２０が袋部吊下げ用延長シート部１５より内側となっている前記袋部１１及び前記テーブル固定面係止用延長シート部２０の内外面を該袋部１１の袋開口部１４及び前記テーブル固定面係止用延長シート部２０が袋部吊下げ用延長シート部１５より外側（前方）となるように裏返しにすることによって、裏返しにされた袋部１１はその袋開口部１４及び前記テーブル固定面係止用延長シート部２０が袋部吊下げ用延長シート部１５より外側（前方）となり且つ上方に向けて開口されている袋開口部１４が前方に広げられたポケット部１９と成り（図１４参照）、このポケット部１９で食べこぼした物を受けるようにしている。そして、袋部１１と共に裏返しにされたテーブル固定面係止用延長シート部２０はテーブル固定面係止用粘着部２１を設けた面が外側面と成り（図１４参照）、被覆部２２が剥離され露出したテーブル固定面係止用粘着部２１の外側（前方）に向けられた粘着面２１ａ（図１４のＢに一点鎖線で示した）を介して、テーブル固定面係止用延長シート部２０の先端部をテーブル固定面Ｔに貼着し（図１５参照）、テーブル固定面Ｔに固定されたテーブル固定面係止用延長シート部２０によって、前記ポケット部１９の開口部１４を広げ状態に固定できるようにした。
【０１０５】
図示した実施例では、袋部１１と共に裏返しされたテーブル固定面係止用延長シート部２０のテーブル面係止用粘着部２１が外側（前方）に向けられ、外側（前方）に向けられたテーブル面係止用粘着部２１のシート端部を図１４（Ｂ）に矢印で示したように捲って、図１４（Ｂ）に一点鎖線で示したように粘着面２１ａを外側（前方）に向けて露出させ、外側（前方）に向けて露出させた粘着面２１ａを介して、図１５に示したようにテーブル固定面係止用延長シート部２０の先端部をテーブル固定面Ｔに貼り付け、ポケット部１９の開口部を広げ状態に固定できるようにしている。
【０１０６】
図１３，１４に示した実施形態において、袋部吊下げ用延長シート部１５の上下方向の長さは、袋部吊下げ用延長シート部１５の上部をエプロンシート部２の表面側の下部位置に接合した態様において、袋部１１の全体がエプロンシート部２の下端より少し下方に突出して位置されるように形成してある。しかし、図１１，図１２の実施形態で述べたように、袋部吊下げ用延長シート部１５の上下方向の長さは、図示した実施形態のものに限定されるものではなく、例えば、図示してないが、袋部吊下げ用延長シート部１５の上部をエプロンシート部２の表面側２Ａの上部位置に接合した態様において、袋部１１の全体がエプロンシート部２の下端より少し下方に突出した位置となるように長く形成することもできる。このように袋部吊下げ用延長シート部１５の上下方向の長さを長く形成してある場合は、図１１，図１２の実施形態で述べたように、袋部吊下げ用延長シート部１５がエプロンシート部２の表面側２Ａを広い範囲で被う構造となり、エプロンシート部の表面汚れを効果的に防止できる。
【０１０７】
次に図１６，図１７の実施形態について説明する。図１６はエプロン本体１に別体の袋体１０を接合（接着）した構造の袋付きエプロンを示している。図１７はポケット部の開口部を広げ状態に固定できるようにテーブル固定面に貼着した状態を示している。
【０１０８】
図１６，図１７に示した実施形態のポケット付き簡易エプロンは、エプロン本体１と、このエプロン本体とは別体の袋体１０から成り、前記袋体１０が、両側部と下部の三方を閉じられ、上部を袋開口部１４とした柔軟シート素材から成る扁平状の袋部１１と、この袋部１１を構成する互いに重なり合う二つの袋構成シート面部の一方を袋開口部の開口縁より上方に向けて一体的に延長して形成した袋部吊下げ用延長シート部１５を備え、更に、この袋体１０が、前記袋部１１の二つの袋構成シート面部の他方を袋開口部の開口縁より上方に向けて一体的に延長して形成したテーブル固定面係止用延長シート部２０と、このテーブル固定面係止用延長シート部２０の上部の外側面に設けたテーブル固定面係止用粘着部２１と、このテーブル固定面係止用粘着部２１の粘着面２１ａを剥離可能に被う被覆部２２を備え、前記テーブル固定面係止用粘着部２１は、被覆部２２を剥離して露出された粘着面２１ａが外側に向けられた構成としてあり、前記袋部１１の袋開口部１４が上方に向けられ且つこの袋開口部１４及び前記テーブル固定面係止用延長シート部２０が袋部吊下げ用延長シート部１５より外側となるように袋部吊下げ用延長シート部１５の上部の裏面をエプロンシート部２の表面側２Ａ（エプロンシート部２の裏面側２Ｂは着用者の前面側に接する。）の上下方向の適位置に接合（接着）３０して構成されている（図１６参照）。
【０１０９】
図１６の袋体１０の形成は、図１３の袋体と同様に、エプロン本体１のエプロンシート部２の横幅と同等かやや短い横幅の略矩形シートＳを、折り目１２を介して、一方のシート部Ｓ１を上下方向に長く、他方のシート部Ｓ２が上下方向に短くなるように互いの上端部が段違いとなるように折り返し、折り返した重ね合わせ部の両側部を折り目位置から途中位置まで封着１３し、封着１３した両側部と折り目１２からなる下部の三方が閉じられ、上部を袋開口部１４とした袋部１１を形成し、上下方向に長いシート部Ｓ１における袋開口部の開口縁から上端部までの上下範囲を袋部吊下げ用延長シート部１５とし、上下方向に短いシート部Ｓ２における袋開口部の開口縁から上端部までの上下範囲をテーブル固定面係止用延長シート部２０としてある。
【０１１０】
図１３の袋体１０で述べたと同様に、この袋体１０の形成も、図１６に示した折り返しによる他、上下方向に長い矩形シートに上下方向に短い矩形シートを重ね合わせ、重ね合わせ部の両側部と下部の三方を封着し、上部を開口して袋部１１を形成しても良い。
【０１１１】
図１６の袋体１０の素材は、前記した図１１，図１３の袋体１０の素材と同様であるため、重複する説明は省略する。
【０１１２】
図１６の実施例では、テーブル固定面係止用延長シート部２０の上部の外側面に設けたテーブル固定面係止用粘着部２１と、この粘着部の粘着面２１ａを剥離可能に被う被覆部２２の構造として、図１３の構造と実質的に同じ構造のものを採用している。すなわち、テーブル固定面係止用延長シート部２０の上部の外側面に摘みしろ２０ａを残して粘着剤を全幅方向に延ばして塗布し、この粘着剤が塗布されたシート端部を粘着部（粘着剤塗布部）２１が内側となるように折り込み、折り込まれたシート端部の粘着面２１ａが折り込み先の該延長シート部２０の対応面（この対応面が被覆部２２として機能する）で剥離可能に被われる構造としてある。この粘着面２１ａを露出させる際は、図１６（Ｂ）に矢印で示したように、外側面に粘着部２１を設けたテーブル固定面係止用延長シート部２０のシート端部を捲って該延長シート部２０の対応面（被覆部２２）から粘着面２１ａを剥離させる構造としてある。捲られた粘着しろ２０ａの粘着面２１ａは、図１６（Ｂ）に一点鎖線で示したように、外側に向けられた構造となる。
【０１１３】
なお、この実施形態においても、テーブル固定面係止用延長シート部２０の上部の外側面に設けたテーブル固定面係止用粘着部２１と、この粘着部の粘着面２１ａを剥離可能に被う被覆部２２の構造としては、図８〜図１０の実施形態のとろで述べたのと同様その他の構造としても良い。ここでは重複した説明は省略する。
【０１１４】
テーブル固定面係止用粘着部２１の接着力は、図８〜図１０の実施形態のとろで述べたのと同様に、再剥離可能（貼り付け後にテーブル固定面Ｔからテーブル固定面係止用延長シート部２０を剥がすことが可能）なものとしてある。
【０１１５】
図１６では、袋部１１がエプロンシート部２の下端より少し下方に突出した位置に配置されるように袋部吊下げ用延長シート部１５の上部をエプロンシート部２の表面側２Ａの下部位置に接合（接着）３０してある。しかし、この接合位置は図示した位置に限定するものではなく、前の実施形態の説明で述べたと同様に、この接合位置はこの接合位置によって決定される袋部１１（ポケット部１９）の高さ位置が食べこぼした物を効率的に受け得る好ましい高さ位置となるように構成する。例えば、エプロンシート部の丈長さが図示のエプロン本体より長い構造のエプロン本体では、袋部１１がエプロンシート部２の表面側２Ａの下部位置に配置されるように袋部吊下げ用延長シート部１５の上部をエプロンシート部２の表面側２Ａの上下方向における略中間位置に接合しても良い。
【０１１６】
袋部吊下げ用延長シート部１５の上部の裏面をエプロンシート部２の表面側２Ａに接合１６する手段として、この実施例では接着剤を介して接合（接着）している。しかし、本考案において、この接合手段は特に限定するこのではない。袋部吊下げ用延長シート部１５とエプロンシート部２の表面素材に適した接合手段を採用することができる。
【０１１７】
ポケット付きエプロンとして使用する際は、この接合（接着）態様において袋開口部１４が上方に向けられ且つこの袋開口部１４が外側となっている袋部１１をポケット部１９とし（図１６参照）、このポケット部の前側に位置するテーブル固定面係止用延長シート部２０の先端部を、被覆部２２が剥離され露出したテーブル固定面係止用粘着部２１の外側（前方）に向けられた粘着面２１ａ（図１６のＢに一点鎖線で示した）を介して、テーブル固定面Ｔに貼着し（図１７参照）、テーブル固定面Ｔに固定されたテーブル固定面係止用延長シート部２０によって、前記ポケット部１９の開口部１４を前方に突出した広げ状態に固定できるようにした。
【０１１８】
図示した実施例では、図１６（Ｂ）に矢印で示したように、外側面に粘着部２１を設けたテーブル固定面係止用延長シート部２０のシート端部を捲って該延長シート部２０の対応面（被覆部２２）から粘着面２１ａを剥離させ、図１６（Ｂ）に一点鎖線で示したように外側（前方）に向けられた粘着部２１の粘着面２１ａを介して、図１７に示したようにテーブル固定面係止用延長シート部２０の先端部をテーブル固定面Ｔに貼り付け、ポケット部１９の開口部１４を前方に広げられた状態に固定できるようにした。
【０１１９】
図１６に示した実施形態において、袋部吊下げ用延長シート部１５の上下方向の長さは、袋部吊下げ用延長シート部１５の上部をエプロンシート部２の表面側２Ａの下部位置に接合した態様において、袋部１１の全体がエプロンシート部２の下端より少し下方に突出して位置されるように形成してある。しかし、前の実施形態で述べたように、袋部吊下げ用延長シート部１５の上下方向の長さは、図示した実施形態のものに限定されるものではなく、例えば、図示してないが、袋部吊下げ用延長シート部１５の上部をエプロンシート部２の表面側２Ａの上部位置に接合した態様において、袋部１１の全体がエプロンシート部２の下端より少し下方に位置するように長く形成することもできる。このように袋部吊下げ用延長シート部１５の上下方向の長さを長く形成してある場合は、前の実施形態で述べたように、袋部吊下げ用延長シート部１５がエプロンシート部２の表面側２Ａを広い範囲で被う構造となり、エプロンシート部の表面汚れを効果的に防止できる。
【符号の説明】
【０１２０】
１  エプロン本体
２  エプロンシート部
２Ａ  エプロンシート部の表面側
２Ｂ  エプロンシート部の裏面側
３  装着手段（紐部）
４  切り込み
１０  袋体
１１  袋部
１２  下部（折り目）
１３  両側部（封着）
１４  袋開口部
１５  袋部吊下げ用延長シート部
１６  袋部吊下げ用粘着部
１６ａ  袋部吊下げ用粘着部の粘着面
１７  被覆部
１９  ポケット部
２０  テーブル固定面係止用延長シート部
２１  テーブル固定面係止用粘着部
２１ａ  テーブル固定面係止用粘着部の粘着面
２２  被覆部
３０  接合部
【図１】
0003196344.tif 000003
【図２】
0003196344.tif 000004
【図３】
0003196344.tif 000005
【図４】
0003196344.tif 000006
【図５】
0003196344.tif 000007
【図６】
0003196344.tif 000008
【図７】
0003196344.tif 000009
【図８】
0003196344.tif 000010
【図９】
0003196344.tif 000011
【図１０】
0003196344.tif 000012
【図１１】
0003196344.tif 000013
【図１２】
0003196344.tif 000014
【図１３】
0003196344.tif 000015
【図１４】
0003196344.tif 000016
【図１５】
0003196344.tif 000017
【図１６】
0003196344.tif 000018
【図１７】
0003196344.tif 000019